(57)【要約】【課題】  勤務時間外や担当エリア外の計数担当者のカードを用いた不正計数を防止できるようにする。【解決手段】  玉計数機３０は、ＩＣタグ読取／書込部３０９によりＩＣタグ３３から読み取ったタグ情報（店コード及び担当者コード）をＴ／Ｃ１０に送信する。Ｔ／Ｃ１０は、店コードと、担当者コードに計数機識別情報を対応して登録した計数担当割当情報とを記憶した計数担当者ＤＢ１３３を用いて、玉計数機３０から受信した店コード及び担当者コードが適正か否かを判定して計数許可条件が適正か否かを玉計数機３０に送信する。玉計数機３０は、受信した計数許可適否判定結果が“適正”であれば、シャッタ３０２を開放して計数動作を行わせ、“不適正”であれば、シャッタ３０２の閉鎖状態にしたまま計数動作が行なえないようにする。【選択図】  図４
2006020933.tif 000002
【特許請求の範囲】
【請求項１】
遊技媒体を計数する遊技媒体計数装置と、前記遊技媒体計数装置と通信可能に接続される管理装置とから成る遊技媒体計数システムにおいて、
前記遊技媒体計数装置は、
前記遊技媒体の計数動作を禁止状態に設定する禁止状態設定手段と、
非接触型ＩＣタグから成る計数担当者用識別タグの近接を受けて該識別タグからタグ情報を読み取る識別タグ情報処理手段と、
前記識別タグ情報処理手段により前記識別タグから読取ったタグ情報を前記管理装置に送信する送信手段と、
前記タグ情報の送信に対応して前記管理装置から送信される計数許可条件判定結果を受信する受信手段と、
前記受信手段により受信された前記計数許可条件判定結果に応じて、前記禁止状態設定手段の禁止状態を解除または維持する制御手段と
を具備し、
前記管理装置は、
前記遊技媒体計数装置毎に計数を許可する担当者の担当者識別情報を登録した計数担当者データベースと、
前記遊技媒体計数装置から送信される前記タグ情報を受信する受信手段と、
前記受信手段により受信された前記タグ情報と前記計数担当者データベースの登録情報を照合して計数許可条件が適正であるか否かを判定する判定手段と、
前記判定手段による計数許可条件判定結果を前記遊技媒体計数装置に送信する送信手段と
を具備することを特徴とする遊技媒体計数システム。
【請求項２】
前記遊技媒体計数装置は、
遊技店を識別する店識別情報を保持する保持手段と、
遊技店を識別する店識別情報と、計数担当者を識別する担当者識別情報を前記タグ情報として記憶した前記識別タグから読み取った前記タグ情報のうち、前記担当者識別情報を前記管理装置に送信する前記送信手段と、
前記識別タグから読取った前記店識別情報を前記保持手段に事前に保持される店識別情報と照合して前記読取った店識別情報が適正か否かを判定する判定手段と、
前記読取った店識別情報と、前記受信手段により受信された前記計数許可条件判定結果が共に適正である場合には前記禁止状態設定手段の禁止状態を解除し、前記店情報または計数許可条件適否判定結果の少なくともいずれか一方が不適正の場合には前記禁止状態設定手段の禁止状態を維持する前記制御手段と
を具備し、
前記管理装置は、
前記遊技媒体計数装置の装置識別情報と計数を許可する担当者の担当者識別情報を対応付けた計数担当割当情報が登録された前記計数担当者データベースと、
前記遊技媒体計数装置から受信された前記担当者識別情報を前記計数担当者データベースの当該遊技媒体計数装置に対応して登録される担当者識別情報と照合することにより担当者識別情報が適正か否かを判定し、前記担当者識別情報が適正である場合には前記計数許可条件が適性であると判定し、前記担当者識別情報が不適正である場合には前記計数許可条件が不適正であると判定する前記判定手段と
を具備することを特徴とする請求項１記載の遊技媒体計数システム。
【請求項３】
前記遊技媒体計数装置は、
遊技店を識別する店識別情報と、計数担当者を識別する担当者識別情報を前記タグ情報として記憶した前記識別タグから読み取った前記店識別情報及び担当者識別情報を前記管理装置に送信する前記送信手段
を有し、
前記管理装置は、
前記店識別情報と、前記遊技媒体計数装置の装置識別情報と計数を許可する担当者の担当者識別情報を対応付けた計数担当割当情報とが登録された前記計数担当者データベースと、
前記遊技媒体計数装置から受信された前記店識別情報、担当者識別情報を前記計数担当者データベース中の店識別情報、並びに当該遊技媒体計数装置の装置識別情報に対応する担当者識別情報と照合することにより店識別情報及び担当者識別情報が各々適正か否かを判定し、前記店識別情報及び担当者識別情報が共に適正である場合には前記計数許可条件が適性であると判定し、前記店識別情報及び担当者識別情報のうちの少なくともいずれか一方が不適正である場合には前記計数許可条件が不適正であると判定する前記判定手段と
を具備することを特徴とする請求項１記載の遊技媒体計数システム。
【請求項４】
前記管理装置は、
カレンダー機能を有する計時手段と、
前記担当者識別情報に対応して使用可能時間帯及び使用可能日の情報が更に登録された前記計数担当者データベースと、
前記担当者識別情報が適正と判定された場合、更に、前記計時手段により計時及び特定された時刻及び曜日が、前記適正と判定された担当者識別情報に対応する前記使用可能時間帯及び使用可能日に合致するか否かを判定し、前記使用可能時間帯及び使用可能日の両者が各々合致した場合には前記計数許可条件が適性であると判定し、前記使用可能時間帯及び使用可能日のうちの少なくともいずれか一方が合致しない場合には前記計数許可条件が不適正であると判定する前記判定手段と
を具備することを特徴とする請求項２または３記載の遊技媒体計数システム。
【請求項５】
前記管理装置は、
複数の前記遊技媒体計数装置から受信中の前記担当者識別情報の中に同一の担当者識別情報があるか否かを監視する監視手段と、
同一の担当者識別情報に基づく遊技媒体計数装置の同時使用の禁止を指示する同時使用禁止指示情報を更に含む前記計数担当者データベースと、
前記担当者識別情報が適正と判定された場合、更に、前記監視手段の監視結果を参照し、前記監視手段により同一の担当者識別情報が存在すると判定された場合は、前記計数許可条件が不適正であると判定し、前記監視手段により同一の担当者識別情報が存在しないと判定された場合には前記計数許可条件が適正であると判定する前記判定手段と
を具備することを特徴とする請求項２または３記載の遊技媒体計数システム。
【請求項６】
前記遊技媒体計数装置は、
前記計数許可条件が不適正であると判定された場合、その旨を警報報知する報知手段
を更に具備することを特徴とする請求項１乃至５のいずれか１つに記載の遊技媒体計数システム。
【発明の詳細な説明】
【技術分野】
【０００１】
本発明は、遊技媒体を計数する遊技媒体計数装置と、前記遊技媒体計数装置と通信可能に接続される管理装置とから成る遊技媒体計数システムに係わり、詳しくは、識別タグを用いて計数動作を開始させる遊技媒体計数装置において、勤務時間外の計数担当者の識別タグや、担当エリア外の計数担当者の識別タグを用いた不正計数を防止する遊技媒体計数システムに関する。
【背景技術】
【０００２】
パチンコ店等の遊技場では、パチンコ島に設置されるパチンコ機、あるいはスロット島に設置されるパチスロ機等の遊技機での遊技によって獲得したパチンコ玉（以下、玉）やメダル等の遊技媒体を計数する遊技媒体計数機が設置される。
【０００３】
この種の従来の遊技媒体計数機の一例として、例えば、下記特許文献１に記載される玉計数機３が知られている。
【０００４】
この玉計数機３は、玉を投入するホッパ部に開閉制御可能なシャッタ機構が備えられており、待機時には、シャッタが閉じられており、玉の計数が行えないようになっている。
【０００５】
遊技客は、獲得した玉を計数しようとした場合、店員（計数担当者）を呼び出して計数を希望する旨を告げる。
【０００６】
これにより、計数担当者が、携帯する鍵カード（計数カード）を会員カードリーダ２に挿入すると、会員カードリーダ２は会員管理コンピュータ１に対して挿入されたカードが計数カードであるか否かの真偽を問い合わせ、計数カードであるとの判定結果が得られた場合には玉計数機３のシャッタが開放され、玉の計数を行うことが可能となる。
【特許文献１】特開２００１−８７５２６号公報
【発明の開示】
【発明が解決しようとする課題】
【０００７】
特許文献１に記載されるシステムでは、会員管理コンピュータが、会員カードリーダにより挿入カードから読取られたカード識別情報と予め装置内に記憶管理されている識別情報とを照合して正規の計数カードであるかどうかの認証（真偽判定）を行なっているだけであり、どの従業員（計数担当者）の計数カードを用いて計数したかまでは把握することができず、必然的に、各計数機の計数操作を計数担当者Ａには許可し計数担当者Ｂには許可しないといった計数担当者の管理は行なえなかった。
【０００８】
計数担当者管理が行なわれていない上記従来のシステムでは、勤務時間外の計数担当者のカードを用いて計数機を動かしたり、あるいは、パチンコエリア担当の計数担当者のカードを用いてメダルエリアの計数機を動かす等、担当エリア外の計数担当者のカードを用いて計数することも可能であり、不正計数を防止できないという問題点があった。
【０００９】
本発明は上記問題点を解消し、カードを用いて計数動作を起動するタイプの遊技媒体計数装置を対象に、勤務時間外の計数担当者のカードや、担当エリア外の計数担当者のカードを用いた不正計数を防止することができる遊技媒体計数システムを提供することを目的とする。
【課題を解決するための手段】
【００１０】
上記目的を達成するために、請求項１記載の発明は、遊技媒体を計数する遊技媒体計数装置と、前記遊技媒体計数装置と通信可能に接続される管理装置とから成る遊技媒体計数システムにおいて、前記遊技媒体計数装置は、前記遊技媒体の計数動作を禁止状態に設定する禁止状態設定手段と、非接触型ＩＣタグから成る計数担当者用識別タグの近接を受けて該識別タグからタグ情報を読み取る識別タグ情報処理手段と、前記識別タグ情報処理手段により前記識別タグから読取ったタグ情報を前記管理装置に送信する送信手段と、前記タグ情報の送信に対応して前記管理装置から送信される計数許可条件判定結果を受信する受信手段と、前記受信手段により受信された前記計数許可条件判定結果に応じて、前記禁止状態設定手段の禁止状態を解除または維持する制御手段とを具備し、前記管理装置は、前記遊技媒体計数装置毎に計数を許可する担当者の担当者識別情報を登録した計数担当者データベースと、前記遊技媒体計数装置から送信される前記タグ情報を受信する受信手段と、前記受信手段により受信された前記タグ情報と前記計数担当者データベースの登録情報を照合して計数許可条件が適正であるか否かを判定する判定手段と、前記判定手段による計数許可条件判定結果を前記遊技媒体計数装置に送信する送信手段とを具備することを特徴とする。
【００１１】
請求項２記載の発明は、上記請求項１記載の発明において、前記遊技媒体計数装置は、遊技店を識別する店識別情報を保持する保持手段と、遊技店を識別する店識別情報と、計数担当者を識別する担当者識別情報を前記タグ情報として記憶した前記識別タグから読み取った前記タグ情報のうち、前記担当者識別情報を前記管理装置に送信する前記送信手段と、前記識別タグから読取った前記店識別情報を前記保持手段に事前に保持される店識別情報と照合して前記読取った店識別情報が適正か否かを判定する判定手段と、前記読取った店識別情報と、前記受信手段により受信された前記計数許可条件判定結果が共に適正である場合には前記禁止状態設定手段の禁止状態を解除し、前記店情報または計数許可条件適否判定結果の少なくともいずれか一方が不適正の場合には前記禁止状態設定手段の禁止状態を維持する前記制御手段とを具備し、前記管理装置は、前記遊技媒体計数装置の装置識別情報と計数を許可する担当者の担当者識別情報を対応付けた計数担当割当情報が登録された前記計数担当者データベースと、前記遊技媒体計数装置から受信された前記担当者識別情報を前記計数担当者データベースの当該遊技媒体計数装置に対応して登録される担当者識別情報と照合することにより担当者識別情報が適正か否かを判定し、前記担当者識別情報が適正である場合には前記計数許可条件が適性であると判定し、前記担当者識別情報が不適正である場合には前記計数許可条件が不適正であると判定する前記判定手段とを具備することを特徴とする。
【００１２】
請求項３記載の発明は、上記請求項１記載の発明において、前記遊技媒体計数装置は、遊技店を識別する店識別情報と、計数担当者を識別する担当者識別情報を前記タグ情報として記憶した前記識別タグから読み取った前記店識別情報及び担当者識別情報を前記管理装置に送信する前記送信手段を有し、前記管理装置は、前記店識別情報と、前記遊技媒体計数装置の装置識別情報と計数を許可する担当者の担当者識別情報を対応付けた計数担当割当情報とが登録された前記計数担当者データベースと、前記遊技媒体計数装置から受信された前記店識別情報、担当者識別情報を前記計数担当者データベース中の店識別情報、並びに当該遊技媒体計数装置の装置識別情報に対応する担当者識別情報と照合することにより店識別情報及び担当者識別情報が各々適正か否かを判定し、前記店識別情報及び担当者識別情報が共に適正である場合には前記計数許可条件が適性であると判定し、前記店識別情報及び担当者識別情報のうちの少なくともいずれか一方が不適正である場合には前記計数許可条件が不適正であると判定する前記判定手段とを具備することを特徴とする。
【００１３】
請求項４記載の発明は、上記請求項２または３記載の発明において、前記管理装置は、カレンダー機能を有する計時手段と、前記担当者識別情報に対応して使用可能時間帯及び使用可能日の情報が更に登録された前記計数担当者データベースと、前記担当者識別情報が適正と判定された場合、更に、前記計時手段により計時及び特定された時刻及び曜日が、前記適正と判定された担当者識別情報に対応する前記使用可能時間帯及び使用可能日に合致するか否かを判定し、前記使用可能時間帯及び使用可能日の両者が各々合致した場合には前記計数許可条件が適性であると判定し、前記使用可能時間帯及び使用可能日のうちの少なくともいずれか一方が合致しない場合には前記計数許可条件が不適正であると判定する前記判定手段とを具備することを特徴とする。
【００１４】
請求項５記載の発明は、上記請求項２または３記載の発明において、前記管理装置は、複数の前記遊技媒体計数装置から受信中の前記担当者識別情報の中に同一の担当者識別情報があるか否かを監視する監視手段と、同一の担当者識別情報に基づく遊技媒体計数装置の同時使用の禁止を指示する同時使用禁止指示情報を更に含む前記計数担当者データベースと、前記担当者識別情報が適正と判定された場合、更に、前記監視手段の監視結果を参照し、前記監視手段により同一の担当者識別情報が存在すると判定された場合は、前記計数許可条件が不適正であると判定し、前記監視手段により同一の担当者識別情報が存在しないと判定された場合には前記計数許可条件が適正であると判定する前記判定手段とを具備することを特徴とする。
【００１５】
請求項６記載の発明は、上記請求項１乃至５のいずれか１つに記載の発明において、前記遊技媒体計数装置は、前記計数許可条件が不適正であると判定された場合、その旨を警報報知する報知手段を更に具備することを特徴とする。
【発明の効果】
【００１６】
本発明によれば、遊技媒体計数装置に、非接触型ＩＣタグから成る計数担当者用識別タグとの間でタグ情報の読み取り及び書込みを行なう識別タグ情報処理手段を設け、かつ管理装置に、遊技媒体計数装置の装置識別情報毎に計数を許可する担当者の担当者識別情報を対応付けた計数担当者情報を含む計数担当者データベースを登録する一方で、識別タグには、担当者識別情報を含むタグ情報を記憶させておき、遊技媒体計数装置では識別タグから読み取ったタグ情報と自装置の装置識別情報を管理装置に送り、管理装置では、遊技媒体計数装置から受信したタグ情報と計数担当者データベースの登録情報を照合して該タグ情報が適正か否かにより計数許可条件が適正か不適正かの判定結果を遊技媒体計数装置に送信し、更に、遊技媒体計数装置では、管理装置から計数許可条件が不適正であるとの判定結果を受信することにより、禁止状態設定手段の禁止状態を維持して計数を行なわせないように制御するものである。
【００１７】
かかる構成によれば、遊技媒体計数装置で識別タグから読取られた担当者識別情報が、当該遊技媒体計数装置の装置識別情報に対応して計数担当者データベースに登録されていない場合には、当該遊技媒体計数装置で当該識別タグを用いた計数動作を行なうことができず、計数担当者データベースに登録する装置識別情報と担当者識別情報の対応付け次第で、各遊技媒体計数装置の計数操作を行なえる計数担当者を管理することができる。
【００１８】
また、本発明によれば、ある計数担当者が他の計数担当者の識別タグを用いて計数を行おうとした場合、計数担当者データベース上で、当該識別タグに記憶された担当者識別情報がどの遊技媒体計数装置に対応付け登録されているかが分からない限りは、当該識別タグを用いて計数可能な遊技媒体計数装置を見つけて計数することは困難であり、これにより、担当エリア外の計数担当者の識別タグを用いた不正計数を防止することができる。
【００１９】
また、本発明では、計数担当者データベースには、担当者識別情報に対応して使用可能時間帯及び使用可能日の情報が更に登録されており、管理装置では、担当者識別情報が適正と判定された場合、更に、計時手段により計時及び特定された時刻及び曜日が、適正と判定された担当者識別情報に対応する使用可能時間帯及び使用可能日に合致するか否かが判定されてその判定結果が遊技媒体計数装置に送信されるため、遊技媒体計数装置では、管理装置で使用可能時間帯及び使用可能日のうちの少なくともいずれか一方が合致しないで計数許可条件が不適正であると判定された場合には計数動作を行なうことができない。
【００２０】
かかる制御によれば、ある遊技媒体計数装置に対応付けられた計数担当者識別情報を記憶した識別タグを持っている適正な計数担当者であっても、計数担当者データベース上での、当該担当者識別情報に対応する使用可能時間帯及び使用可能日の設定次第では、該設定時間外に当該識別タグを用いて計数操作を行うことができず、勤務時間外の計数担当者の識別タグを用いた不正計数を防止することができる。
【００２１】
また、本発明では、計数担当者データベースには、同一の担当者識別情報に基づく遊技媒体計数装置の同時使用の禁止を指示する同時使用禁止指示情報を設定可能であり、該同時使用禁止指示情報が設定されていれば、管理装置は、担当者識別情報が適正と判定された場合であっても、複数の遊技媒体計数装置から受信中の担当者識別情報の中に同一の担当者識別情報がある時には計数許可条件が不適正であるとの判定結果を遊技媒体計数装置に送信するため、この時には、遊技媒体計数装置は計数動作を行なうことができず、同一の識別タグを用いた複数の遊技媒体計数装置を用いた同時間の不正計数を防止することができる。
【発明を実施するための最良の形態】
【００２２】
以下、本発明の実施形態について添付図面を参照して詳細に説明する。
【００２３】
図１は、本発明に係る遊技媒体計数システムが適用される遊技店システムの概略構成を示すブロック図である。
【００２４】
このシステムは、例えば、パチンコ店に設置されるものであり、管理装置１０と、各パチンコ島（以下、）Ａ，Ｂ，Ｃ，…に対応して設置される島コントローラ２０（２０Ａ，２０Ｂ，２０Ｃ，…）とをローカル・エリア・ネットワーク（ＬＡＮ）８０を介して接続すると共に、各島Ａ，Ｂ，Ｃ，…に設置される島構成要素のうちの遊技機４０（４０Ａ−１，４０Ａ−２，…）及び玉貸処理機４５（４５Ａ−１，４５Ａ−２，…）を島コントローラ２０に接続し、かつ上記島構成要素のうちの遊技機４０及び玉貸処理機４５以外の各機器を管理装置１０とＬＡＮ８０により直接接続して構成される。
【００２５】
管理装置１０は、遊技システム全体を制御統括するコントローラ（ターミナル・コントローラ：以下、Ｔ／Ｃ）であり、例えば、図２に示すように、主制御部であるＣＰＵ１１、ハードディスクなどの記憶装置１２、動作プログラム等を記憶するメモリ１３、マウスやキーボード等の入力装置１４、ＣＲＴ等の表示装置１５、島コントローラ２０、各島構成要素及びプリンタ１７との間の通信を行う通信インタフェース（Ｉ／Ｆ）部１６を備えたＰＣ（パーソナル・コンピュータ）等の情報処理端末により構成される。
【００２６】
なお、通信Ｉ／Ｆ部１６では、島コントローラ２０、各島構成要素のうちの遊技機４０及び玉貸処理機４５以外の各機器とはＬＡＮ８０を介して直接通信を行い、各島構成要素のうちの遊技機４０及び玉貸処理機４５とは対応する各島コントローラ２０を介して通信を行う。
【００２７】
Ｔ／Ｃ１０において、メモリ１３は、会員情報を管理する会員管理テーブル１３１、各島毎に配置される各玉計数機３０に対応して計数操作を許可する店員（計数担当者）の識別情報（担当者コード）を割り当てた情報（計数担当割当情報）を管理する計数担当者データベース（ＤＢ）１３３を有する。
【００２８】
また、制御部１１には、各玉計数機３０から受信したタグ情報（ＩＣタグ読取／書込部３０９が近接されたＩＣタグ３３から読取る）と計数担当者ＤＢ１３３の登録情報（計数担当割当情報）を照合して該タグ情報が適正か否かを判定してその判定結果に応じた計数許可条件適否（適正か不適正か）を各玉計数機３０に送信する適否判定処理部１１１と、カレンダー機能を有する計時部１１２が設けられる。
【００２９】
一方、各島（Ａ，Ｂ，Ｃ，…）には、島構成要素として、それぞれ、遊技客が獲得した玉を計数する玉計数機３０（３０Ａ，３０Ｂ，３０Ｃ，…）、玉計数機３０からのレシート発行指示に基づき、玉計数機３０による玉計数値を、計数日時、計数機の号機等の情報と共に印字した玉数レシートを発行するレシート発行機３５（３５Ａ，３５Ｂ，３５Ｃ，…）、各々複数台の遊技機４０（４０Ａ，４０Ｂ，４０Ｃ，…）、対応する各遊技機４０（この例では、パチンコ機）に対して玉を貸し出す処理を行う玉貸処理機４５（４５Ａ，４５Ｂ，４５Ｃ，…）、遊技機４０での遊技に使用された玉を回収する玉回収機構５１（５１Ａ，５１Ｂ，５１Ｃ，…）、回収された玉を送りつつ研磨する揚送・研磨機構５２（５２Ａ，５２Ｂ，５２Ｃ，…）、研磨された玉を各遊技機４０に補給する補給機構５３が設置される。
【００３０】
図１のシステム構成において、遊技客が、価値付け後の会員カード（あるいは、プリペイドカード）を玉貸処理機４５に挿入して貸出操作を行うと、対応する遊技機４０の玉投出機構が作動して、予め設定された貸出単位分のパチンコ玉が遊技機４０の上皿へと投出される。
【００３１】
挿入されたカードが会員カードの場合、この投出代金は、カードの識別データ（カードＩＤ）に対応してＴ／Ｃ１０に予め会員管理テーブル１３１に登録されている度数から減算される。玉貸処理機４５に会員カードが挿入された状態で、貨幣が直接投入された場合には、貨幣を受け入れて、会員カードに価値を追加することも可能である。
【００３２】
この他、玉貸処理機４５は、貨幣を受け入れて、パチンコ玉を貸し出す機能も有している。
【００３３】
遊技客は、玉貸処理機４５から貸し出された玉を用いて遊技機４０で遊技を行なうことができる。
【００３４】
遊技中、各島では、複数の遊技機４０間で玉が循環されている。
【００３５】
図３は、島における玉循環プロセスを示す概念図である。
【００３６】
図３に示すように、遊技機４０で遊技に用いられた玉は、玉回収機構５１の玉回収通路５１１ａを通って貯留タンク５１２に貯留された後、揚送・研磨機構５２の揚送部５２１によって上方に揚送された後で研磨部５２２で研磨され、その後、補給機構５３の補給通路５３１を通って各遊技機４０に補給される。
【００３７】
また、計数機３０は、計数機側玉回収通路５１１ｂを介して貯留タンク５１２に連結されており、当該計数機３０によって計数された玉は計数機側玉回収通路５１１ｂを通って貯留タンク５１２に回収された後、遊技機４０から回収された玉と同様、揚送・研磨機構５２での揚送・研磨プロセスを経て補給機構５３により各遊技機４０へと補給される。
【００３８】
なお、貯留タンク５１２には、該貯留タンク５１２内の玉の貯留量を検知する貯留量検知センサ５１３が設けられており、上記玉循環プロセス中、該貯留量検知センサ５１３による検知結果を玉計数機３０に送出するようになっている。
【００３９】
また、玉回収通路５１１ａ中には、玉が詰まったことを検知する詰まり検知センサ５１４が設けられており、上記玉循環プロセス中、該詰まり検知センサ５１４による検知結果を玉計数機３０に送出するようになっている。
【００４０】
図３に示す玉循環プロセスの下で、遊技客が遊技機４０での遊技によって玉を獲得した場合、この獲得した玉を玉計数機３０に投入して計数することができる。
【００４１】
次に、本発明に係わる玉計数機３０の構成及び動作について説明する。
【００４２】
図４は、本発明に係わる玉計数機３０の機能構成を示すブロック図である。
【００４３】
図４に示すように、玉計数機３０は、後述する店コード等の各種情報を入力する入力部３００、玉計数ガイダンスや計数結果等の各種情報を表示する表示部３０１、玉の投入経路を遮蔽する位置と開放する位置の間を動けるように設けられるシャッタ３０２、上記位置間を動くようにシャッタ３０２を駆動するシャッタ駆動モータ３０３、シャッタ３０２の開閉（開かれているか閉じているか）を検知するシャッタ開閉検知部３０４、シャッタ３０２が開放されている時に玉取込口から取り込まれる玉の通過を１個ずつ検知して計数パルスを出力する計数センサ３０５、計数完了後、特殊景品の交換価値に満たない玉を返却する玉返却部３０６、異常電波、異常振動あるいはカバー開放等の異常を検出する異常検出部３０７、メンテナンス等に際してシャッタ３０２の開閉を手動で指示するシャッタ開閉スイッチ３０８、店員（計数担当者）識別用の識別タグとして該計数担当者が携帯するＩＣタグ３３が近接された時に該ＩＣタグ３３からタグ情報を読み出すと共に、該近接されたＩＣタグ３３に情報を書き込むＩＣタグ読取／書込部３０９（特許請求の範囲における「識別タグ情報処理手段」に対応する）、カレンダー機能を有する計時部３１０、各種情報を記憶するメモリ部３１１、計数異常等を報知するための警告音を出力するブザー３１２、各部に電源を供給する電源部３１３、Ｔ／Ｃ１０、レシート発行機３５等との通信を行うと共に、貯留量検知センサ５１３及び詰まり検知センサ５１４（図３参照）からそれぞれの検知出力を受信する通信インタフェース（Ｉ／Ｆ）部３１４、玉計数機３０全体の制御を行う制御部３１５を具備して構成される。
【００４４】
制御部３１５には、計数担当者が携帯しているＩＣタグ３３をＩＣタグ読取／書込部３０９に近接した時に該ＩＣタグ３３からＩＣタグ読取／書込部３０９によって読取られたタグ情報をＴ／Ｃ１０に送信すると共に、Ｔ／Ｃ１０から上記タグ情報に基づく計数許可条件が適正か否かの判定結果を受信し、計数許可条件が適正であると判定された場合にはシャッタ３０２を開放して玉の計数を行い、計数許可条件が不適正であると判定された場合にはシャッタ３０２を閉じたままにして玉の計数を禁止する制御を行なう計数制御部３１５１が備わる。
【００４５】
図５は、本発明に係わる玉計数機３０の断面構成を示す概念図である。
【００４６】
図５に示すように、玉計数機３０は、玉投入部（ホッパ）３２１の玉取込口３２２の下部にシャッタ３０２が取り付けられている。
【００４７】
具体的に、シャッタ３０２は、シャッタ駆動モータ３０３にギヤ等を介して連結され、該シャッタ駆動モータ３０３の正回転または逆回転に応じて矢印ａ方向と矢印ｂ方向とに移動可能に取り付けられている。
【００４８】
待機時、シャッタ３０２は、計数制御部３１５１からシャッタ閉鎖指令を与えられているシャッタ駆動モータ３０３によって、玉取込口３２２を遮蔽するような位置（図５の２点鎖線で示す位置：シャッタ３０２閉鎖状態）に保たれている。
【００４９】
その後、計数制御部３１５１は、ＩＣタグ読取／書込部３０９により近接されたＩＣタグ３３から読取られたタグ情報に基づき計数不可である判定した場合、シャッタ駆動モータ３０３にシャッタ開放指令を与えることなく、シャッタ３０２を閉じられた状態に維持する。
【００５０】
これに対して、ＩＣタグ読取／書込部３０９により近接されたＩＣタグ３３から読取られたタグ情報に基づき計数可能であると判定した場合、計数制御部３１５１は、シャッタ駆動モータ３０３にシャッタ開放指令を送出する。
【００５１】
このシャッタ開放指令に基づきシャッタ駆動モータ３０３はシャッタ３０２を玉取込口３２２を開放するような位置（図５の実線に示す位置：シャッタ３０２開放状態）になるまで矢印ｂ方向に移動させるように駆動する。
【００５２】
このシャッタ３０２開放状態において、玉収容器から玉投入部３２１に投入された玉は、開放されている玉取込口３２２から１個ずつ取込まれてガイドに沿って下方に転がり落ちていき、最終的には、計数機側玉回収通路５１１ｂを経由して貯留タンク５１２まで送られる。
【００５３】
この間、計数センサ３０５は１個の玉が通過する毎に検知出力に相当するパルスを発生し、玉計数機３０は計数制御部３１５１によって上記出力パルスに基づき玉数を計数する処理を行う。
【００５４】
玉の計数が終了すると、計数制御部３１５１は、玉計数値を表示部３０１に表示すると共に、シャッタ駆動モータ３０３にシャッタ閉鎖指令を送出する。
【００５５】
このシャッタ閉鎖指令に基づきシャッタ駆動モータ３０３は、シャッタ３０２を図５の実線で示す位置（シャッタ開放位置）から同図に２点鎖線で示す位置（シャッタ閉鎖位置）に到達するまで矢印ａ方向に移動させるように駆動する。
【００５６】
これにより、シャッタ３０２が閉じられ、以後、玉計数機３０は、玉計数が行えない状態（待機状態）となる。
【００５７】
本発明の遊技媒体計数システムにおいて、上述した計数制御部３１５１での玉計数の許可／禁止制御（シャッタ開閉制御）は、当該玉計数機３０に予め保持されている計数許可条件と、担当者によって近接されたＩＣタグ３３からＩＣタグ読取／書込部３０９が読み取ったタグ情報のＴ／Ｃ１０での適否判定に基づいて行なわれる。
【００５８】
本発明において、ＩＣタグ読取／書込部３０９とＩＣタグ３３は、例えば、ＲＦＩＤ（Radio Frequency-Identification：電波方式認識）技術で実現できる。
【００５９】
すなわち、ＩＣタグ読取／書込部３０９は、アンテナとコントローラから成り、データの読取、書込み（リーダライタ）機能を有する一方、ＩＣタグ３３は、ＩＣチップにデータを記憶可能な媒体で構成され、ＩＣタグ３３をＩＣタグ読取／書込部３０９に近接させることによって、ＩＣタグ読取／書込部３０９内のコントローラが非接触の無線通信によってＩＣタグ３３内のＩＣチップのデータの読取りあるいは書込みを行なうものである。
【００６０】
ここで、ＩＣタグ読取／書込部３０９とＩＣタグ３３間の無線通信方式としては、電磁誘導方式、電磁結合方式、マイクロ波方式、光（赤外線）方式が採用できる。
【００６１】
具体的な実施形態として、本発明では、計数担当者が担当者用識別タグとして保持するＩＣタグ３３は、例えば、図６に示すように、タグベース部３３１にリストバンド３３２を取り付けた構成により実現される。
【００６２】
タグベース部３３１にはＩＣチップ３３３が実装されており、計数担当者が腕にリストバンド３３２を装着した状態でタグベース部３３１を計数機３０のＩＣタグ読取／書込部３０９に近接させることにより、該ＩＣタグ読取／書込部３０９がＩＣチップ３３３からタグ情報を読み出す。
【００６３】
そして、計数制御部３１５１では、ＩＣタグ３３から読み取られたタグ情報をＴ／Ｃ１０の送信してその適否を判定させる。その後、計数制御部３１５１は、上記タグ情報の送信に対応してＴ／Ｃ１０から送られくる計数許可条件適否判定結果に基づいてシャッタ３０２を開閉制御する構成となっている。
【００６４】
なお、ＩＣタグ読取／書込部３０９は、ＩＣタグ３３が近接された状態で、該ＩＣタグ３３のＩＣチップ３３３に情報を書込むこともできる。
【００６５】
本発明では、上述した計数制御部３１５１によるシャッタ３０２の開閉制御に関して、シャッタ３０２を開放する条件つまり玉の計数を許可する条件として、計数を担当する計数担当者（以下、担当者）を識別する識別情報（担当者コード：００１〜９９９）と遊技店を識別する識別情報（店コード：０１〜９９）を用いるようにしている。
【００６６】
具体的には、例えば、上記店コードと、上記担当者コードを各玉計数機３０に対応付けて設定した計数担当割当情報とを予めＴ／Ｃ１０の計数担当者ＤＢ１３３に登録しておく一方、各担当者が携帯するＩＣタグ３３にも担当者コードと店コードをタグ情報として予め記憶させておく。
【００６７】
そのうえで、各玉計数機３０では、ＩＣタグ読取／書込部３０９によりＩＣタグ３３から読み取ったタグ情報をＴ／Ｃ１０に送り、Ｔ／Ｃ１０では、各玉計数機３０から受信したタグ情報と計数担当者ＤＢ１３３の登録情報（店コードと計数担当割当情報）を照合して該タグ情報が適正か否かを判定してその判定結果に応じた計数許可条件適否（適正か不適正か）を各玉計数機３０に送信し、更に、各玉計数機３０では、Ｔ／Ｃ１０から受信した計数許可適否判定結果に応じて、例えば、計数許可条件が適正であれば、シャッタ３０２を開放して計数動作を行わせ、計数許可条件が不適正であれば、シャッタ３０２の閉鎖状態にしたまま計数動作が行なえないように制御する。
【００６８】
この制御によれば、玉計数機３０でＩＣタグ３３から読取られた担当者コードが、当該玉計数機３０の装置識別情報（計数機番号）に対応してＴ／Ｃ１０の計数担当者ＤＢ１３３に登録されていない場合には、当該玉計数機３０で当該ＩＣタグ３３を用いた計数動作を行なうことができないため、計数担当者ＤＢ１３３に登録する計数機番号と担当者コードの対応付け次第で、各玉計数機３０毎に計数が行える担当者と計数が行なえない担当者を振り分けることができ、計数担当者の管理が実現できる。
【００６９】
なお、本発明では、上記店コードと担当者コードの適否判定については、各玉計数機３０で店コードを、Ｔ／Ｃ１０で担当者コードをそれぞれ適否判定する方法（下記実施例１参照）と、店コードと担当者コードの両者をＴ／Ｃ１０で適否判定する方法（下記実施例２参照）とがある。
【００７０】
以下、各実施例について詳しく説明する。
【実施例１】
【００７１】
図７は、本実施例に係わる遊技媒体計数システムの計数制御準備段階におけるＴ／Ｃ１０と玉計数機３０間の制御シーケンスを示す図である。
【００７２】
このシステムにおいて、Ｔ／Ｃ１０では、登録担当者（例えば、管理者）が、入力装置１４を操作して、各玉計数機３０の情報（計数機番号）、担当者の情報（担当者コード、担当者の氏名）及び関連する情報（計数機番号、使用可能時間帯等）を入力することにより、例えば、メモリ１３内に計数担当者ＤＢ１３３を登録する（ステップＳ１０１ａ）。
【００７３】
図８は、上記ステップＳ１０１ａにおいてメモリ１３内に登録された計数担当者ＤＢ１３３の一例を示す図である。
【００７４】
この計数担当者ＤＢ１３３には、遊技店内に設置される各玉計数機３０の番号（計数機番号）に対応して、それぞれ、当該各玉計数機３０毎に割り当てられた計数担当者の担当者コード（００１〜９９９）及び担当者氏名の情報（計数担当割当情報）、各計数担当者毎の対応する玉計数機３０の使用可能時間帯及び使用可能日の各情報が登録されると共に、同一の担当者コードによる各玉計数機３０の同時使用を禁止するか否かを指示する情報（この例では、禁止）が登録されている。
【００７５】
なお、上記使用可能時間帯については、例えば、閉店直後の所定時間（例えば、２２：００〜２２：１５）内は使用可能にし、開店直後の所定時間（例えば、１０：００〜１１：００）内は使用不可に設定することが望ましい。
【００７６】
また、Ｔ／Ｃ１０は、上述の如く計数担当者ＤＢ１３３を作成した後、該計数担当者ＤＢ１３３に登録された情報の中から、各玉計数機３０毎に対応付けられた担当者コードを抽出し、該担当者コードをある特定の玉計数機３０に送信する（ステップＳ１０２ａ）。
【００７７】
ここで、担当者コードが送られる上記特定の玉計数機３０は、各計数担当者に携帯させる各ＩＣタグ３３に担当者コードと、店コードを記憶させる作業を行なわせるために予め選定された玉計数機３０である。
【００７８】
一方、玉計数機３０では、管理者が入力部３００を操作してＩＣタグ用の店コード（０１〜９９）を入力することにより、該店コードを例えばメモリ部３１１に登録する（ステップＳ２０１ａ）。
【００７９】
なお、この店コードについては、上記特定の玉計数機３０にみならず、遊技店内の全ての玉計数機３０に設定する必要がある。これにより、各玉計数機３０は、上記ステップＳ２０１ａで入力される店コードを例えばメモリ部３１１に記憶する。
【００８０】
その後、上記特定の玉計数機３０では、Ｔ／Ｃ１０から送出される担当者コードを受信すると（ステップＳ２０２ａ）、該受信した担当者コードを例えばメモリ部３１１に記憶させる。
【００８１】
次に、管理者は、上記特定の玉計数機３０のＩＣタグ読取／書込部３０９にＩＣタグ３３を接近させる。これにより、該玉計数機３０では、ＩＣタグ読取／書込部３０９によって、メモリ部３１１に保持されている担当者コード及び店コードがＩＣタグ３３のＩＣチップ３３３に書込まれる（ステップＳ２０３ａ）。
【００８２】
この玉計数機３０における担当者コード及び店コードの書込み処理は、全担当者分のＩＣタグ３３について行なう。
【００８３】
具体的には、上記特定の玉計数機３０において、メンテナンスモードを起動し、メモリ部３１１に保持している担当者コードを１つ選択し、ＩＣタグ読取／書込部３０９にＩＣタグ３３を接近させたうえで、「書込み開始」指示を与えることで、当該選択された担当者コードと、上記メモリ部３１１から読み出される店コードを、ＩＣタグ読取／書込部３０９によりＩＣタグ３３にタグ情報として記録させる操作を各担当者分実施する。
【００８４】
これにより、各担当者の担当者コードと店コードが書込まれた複数のＩＣタグ３３が用意されることになる。
【００８５】
更に、管理者は、担当者コード及び店コードが書込まれた各ＩＣタグ３３を、それぞれ、当該各ＩＣタグ３３に書込まれた担当者コードで識別される各計数担当者に渡す。
【００８６】
これにより、本実施例に係わるＩＣタグ３３を用いた計数制御の運用準備が完了する。
【００８７】
この段階では、各玉計数機３０には店コードが保持され、更に、各担当者は、店コードと、自分に割り当てられた担当者コードが記憶されたＩＣタグ３３を携帯していることになる。
【００８８】
具体例を挙げれば、例えば、図８に示す内容の計数担当者ＤＢ１３３が登録された時の運用準備完了段階においては、玉計数機３０Ａ（計数機番号００１）、玉計数機３０Ｂ（計数機番号００２）、玉計数機３０Ｃ（計数機番号００３）のそれぞれに記憶される店コード（全て同一：この例では０１）と、各担当者が携帯するＩＣタグ３３（３３ａ，３３ｂ、３３ｃ，３３ｄ，３３ｅ，３３ｈ，３３ｊ）に記録されるタグ情報は図９に示すような関係となる。
【００８９】
なお、図９において、各玉計数機３０Ａ，３０Ｂ，３０Ｃ中の点線枠内の各担当者コードは、当該各玉計数機３０に保持されるものではなく、実際には、Ｔ／Ｃ１０の計数担当者ＤＢ１３３内にまとめて登録されているものである。
【００９０】
上記運用準備が完了すると、玉計数機３０は待機状態（図７：ステップＳ２０５ａ）に置かれる。
【００９１】
図１０は、本実施例に係わる玉計数機３０（３０Ａ，３０Ｂ，３０Ｃ，…）の計数制御動作を示すフローチャートである。
【００９２】
上記運用準備が完了し、玉計数機３０が待機状態（ステップＳ２０５ａ）となった後、遊技客が、遊技機４０での遊技によって獲得した玉を計数しようとする場合、担当者を呼び出す。具体的には、隣接される呼び出し装置を使ったり、直接、「計数して下さい。」という声をかける。
【００９３】
呼び出しに応じて駆け付けた担当者は、自分が担当する玉計数機３０まで客が獲得した玉を持って行き、該玉計数機３０のＩＣタグ読取／書込部３０９に自分が携帯しているＩＣタグ３３を図６に示すような方法でかざす（近接させる）。
【００９４】
玉計数機３０は、待機状態（ステップＳ２０５ａ）において、ＩＣタグ読取／書込部３０９にＩＣタグ３３が近接される（ステップＳ２０６ａＹＥＳ）と、該ＩＣタグ読取／書込部３０９が近接されたＩＣタグ３３から担当者コード及び店コードを読取る（ステップＳ２０７ａ）。
【００９５】
次いで、計数制御部３１５１は、ＩＣタグ３３から読取った店コードを予め設定されている店コードと照合し（ステップＳ２０８ａ）、設定されている店コードが読取った店コードと一致するか否かによって店コードが適正か否かを判定する（ステップＳ２０９ａ）。
【００９６】
ここで、店コードが適正でないと判定された場合（ステップＳ２０９ａＮＯ）、計数制御部３１５１は、例えば、表示部３０１に店コードが不適正である旨のメッセージを表示したり、ブザー３１２を鳴動させて警報を発する等のエラー報知処理を行う（ステップＳ２２０ａ）。
【００９７】
これに対して、店コードが適正であると判定された場合（ステップＳ２０９ａＹＥＳ）、計数制御部３１５１は、シャッタ駆動モータ３０３を駆動させ、シャッタ３０２を開放する（ステップＳ２１０ａ）。
【００９８】
この状態で、計数制御部３１５１は、玉収容器から玉投入部３２１に投入され、シャッタ３０２の開放によって玉取込口３２２から取込まれる玉が１個通過する毎に計数センサ３０２から出力されるパルスを検知して玉が投入されている（ステップＳ２１１ａＹＥＳ）ことを認識しながら、該出力パルスに基づいて玉数を計数する（ステップＳ２１２ａ）。
【００９９】
そして、上記出力パルスが得られない期間が一定時間続くことにより計数終了を認識すると（ステップＳ２１３ａＹＥＳ）、計数制御部３１５１は、上記ステップＳ２０７ａで読取ったタグ情報のうちの担当者コードをＴ／Ｃ１０に送出する（ステップＳ２１４ａ）。
【０１００】
これに対し、Ｔ／Ｃ１０は、玉計数機３０から担当者コードを受信すると、適否判定処理部１１１が、該受信した担当者コードと該担当者コードの送信元玉計数機３０の識別情報（計数機番号）をキーに計数担当者ＤＢ１３３中の担当者コード及び計数機番号の対応関係をチェックし（ステップＳ１０５ａ）、受信した担当者コードに一致する担当者コードが送信元玉計数機３０の計数機番号に対応して登録されているか否かによって担当者コードが適正か否かを判定する（ステップＳ１０６ａ）。
【０１０１】
ここで、担当者コードが適正でないと判定された場合（ステップＳ１０６ａＮＯ）、適否判定処理部１１１は、計数許可条件が不適正であるとの判定結果（不適正）を玉計数機３０に送出する（ステップＳ１０７ａ）。
【０１０２】
また、担当者コードが適正であると判定された場合（ステップＳ１０６ａＹＥＳ）、次いで、適否判定処理部１１１は、該担当者コードに対応して計数担当者ＤＢ１３３に登録されている他条件をチェックし（ステップＳ１０８ａ）、当該他条件が適正か否かを判定する（ステップＳ１０９ａ）。
【０１０３】
この他条件の適否判定において、適否判定処理部１１１は、適性であると判定された担当者コードに対応して計数担当者ＤＢ１３３に登録されている使用可能時間帯及び使用可能日の各情報と、例えば制御部１１内に設けられる計時部１１２で計時した現在の時刻及びカレンダー機能より特定された曜日とを比較し、計時時刻が設定されている使用可能時間帯内にあり、かつ計時部１１２により特定された曜日が設定されている使用可能日に該当していれば他条件が適正であると判定し、計時時刻が設定されている使用可能時間帯外か、計時部１１２により特定された曜日が設定されている使用可能日に該当していないかの少なくともいずれか一方であれば、他条件が不適正であると判定する。
【０１０４】
また、他条件として、計数担当者ＤＢ１３３に担当者コードに関する同時使用「禁止」が設定されている場合、適否判定処理部１１１は、複数の玉計数機３０から受信中の担当者コードの中に同一の担当者コードがあるか否かを監視し、該受信中の複数の担当者コードに同一の担当者コードが存在する場合は他条件が不適正であると判定する。
【０１０５】
上記ステップＳ１０９ａにおいて、他条件が不適正であると判定された場合（ステップＳ１０９ａＮＯ）、適否判定処理部１１１は、計数許可条件が不適正であるとの判定結果（不適正）を玉計数機３０に送出する（ステップＳ１０７ａ）。
【０１０６】
また、他条件が適正であると判定された場合（ステップＳ１０９ａＹＥＳ）、適否判定処理部１１１は、計数許可条件が適正であるとの判定結果（適正）を玉計数機３０に送出し（ステップＳ１１０ａ）、以後、待機状態に復帰する。
【０１０７】
一方、玉計数機３０では、上記ステップＳ２１４ａでＴ／Ｃ１０に担当者コードを送信した後、Ｔ／Ｃ１０から送信される判定結果を受信する（ステップＳ２１５ａ）と、計数制御部３１５１が、該受信した判定結果に基づき計数許可条件の適否判定を行う（ステップＳ２１６ａ）。
【０１０８】
ここで、受信された判定結果（不適正）に基づき、計数許可条件が不適正であると判定された場合（ステップＳ２１６ａＮＯ）、計数制御部３１５１はステップＳ２２０ａに進んでエラー報知の処理を行う。
【０１０９】
これに対して、受信された判定結果（適性）により、計数許可条件が適正であると判定された場合（ステップＳ２１６ａＹＥＳ）、計数制御部３１５１は、シャッタ３０２を閉鎖するように制御し（ステップＳ２１７ａ）、次いで、レシート発行機３５に対してレシート発行を指示（ステップＳ２１８ａ）する。
【０１１０】
このレシート発行指示に際し、玉計数機３０では、それまでの玉計数により得た玉計数値をもとに特殊景品に交換できない余り玉があるか否かを判断して、余り玉のない値をレシート発行機３５に送信し、余り玉分は玉返却部３０６より排出した後、待機状態に復帰する。
【０１１１】
レシート発行機３５では、玉計数機３０からのレシート発行指示に基づき、該指示と共に受信した玉計数値（余り玉のない値）や、計数日時、計数機の番号等の情報を印字した玉数レシートを発行する。
【０１１２】
なお、上記処理動作中、Ｔ／Ｃ１０では、担当者コードが不適正であると判定された場合（ステップＳ１０６ａＮＯ）、あるいは他条件が不適正と判定された場合（ステップＳ１０９ａＮＯ）、それぞれ、判定結果（不適正）を玉計数機３０に送出するのに合わせて、例えば、表示装置１５に担当者コードあるいは他条件が不適正であることを示すメッセージ等の警告画面を表示する。
【０１１３】
一方、玉計数機３０では、Ｔ／Ｃ１０から判定結果（不適正）を受信することにより、計数許可条件が不適正であると判定された場合（ステップＳ２１６ａＮＯ）、レシート発行処理の指示は行わず、エラー報知の処理を行う（ステップＳ２２０ａ）が、この場合、玉計数機３０では、既に終了している玉計数により取得した玉計数値はメモリ部３１１に記憶しておき、適正な復旧処理がなされた後に、レシート発行機３５にレシート発行指示を行い、レシートを発行させ得る構成となっている。
【０１１４】
また、本実施例では、図１０のステップＳ２１６ａにおける計数許可条件の適否判定処理において、玉計数機３０では、該適否判定要件に更に以下に示すような自装置の動作状態を加え、店コード、担当者コード等が適正であっても自装置の動作条件（他条件）が不適正であれば、計数許可条件が不適正と判定するようにしても良い。
【０１１５】
ステップＳ２１６ａの処理中に行なう、玉計数機３０における他条件（自装置動作条件）適否判定処理について図１１に示すフローチャートを参照してより詳細に説明する。
【０１１６】
図１１において、玉計数機３０の計数制御部３１５１は、Ｔ／Ｃ１０から判定結果（適正）を受信すると（ステップＳ２４１：図１０におけるステップＳ２１５ａ）、まず、貯留量検知センサ５１３の検知出力を監視し、該検知出力に基づいて貯留タンク５１２が満杯であるか否かをチェックする（ステップＳ２４２）。
【０１１７】
ここで、貯留タンク５１２が満杯でないと判定された場合（ステップＳ２４２ＮＯ）、引き続き、計数制御部３１５１は、詰まり検知センサ５１４の知出力を監視し、該検知出力に基づいて玉詰まりが発生しているか否かを判定する（ステップＳ２４３）。
【０１１８】
玉詰まりが発生していないと判定された場合（ステップＳ２４３ＮＯ）、引き続き、計数制御部３１５１は、異常検出部３０７の検知出力を監視し、該検知出力に基づいて異常が発生しているか否か判定する（ステップＳ２４４）。
【０１１９】
そして、異常が発生していないと判定された場合（ステップＳ２４４ＮＯ）、計数制御部３１５１は、計数許可条件が適正であると判定する（ステップＳ２４５＝図１０におけるステップＳ２１６ａＹＥＳ）。
【０１２０】
これに対して、貯留タンク５１２が満杯であると判定された場合（ステップＳ２４２ＹＥＳ）、玉詰まりが発生していると判定された場合（ステップＳ２４３ＹＥＳ）、及び異常が発生していると判定された場合（ステップＳ２４４ＹＥＳ）、計数制御部３１５１は、上記のうちのいずれか１つの判定がなされた時点で計数許可条件が不適正あると判定する（ステップＳ２４６＝図１０におけるステップＳ２１６ａＮＯ）。
【０１２１】
なお、図１１の他条件適否判定処理で説明した、貯留タンク５１２が満杯か否か、玉詰まりが発生しているか否か、及び異常が発生しているか否かの各判定については、図１０におけるステップＳ２１６ａ中で実施するのに限らず、玉計数機３０の運用中、これらの状態を常時監視し、貯留タンク５１２の満杯時、玉詰まりあるいは異常の発生時にはその時点で計数を禁止する制御を行なうようにしても良い。
【０１２２】
ここで、例えば、貯留タンク５１２の満杯による計数禁止後は、玉の循環によって貯留タンク５１２内の貯留量が所定値を下回った段階で利用可能状態に戻し、玉詰まりまたは異常発生による計数禁止後は、店員によって玉の詰まりまたは異常が解除されることにより利用可能状態に戻すことになる。
【０１２３】
また、図１１においては、玉計数機３０自身が、貯留量検知センサ５１３、詰まり検知センサ５１４の検知出力に基づき貯留タンク５１２の満杯や玉詰まりを検出して他条件適否判定を行なっているが、上記検知出力をＴ／Ｃ１０がＬＡＮ８０経由で取り込み、該Ｔ／Ｃ１０が例えば図１０におけるステップＳ１０９ａの他条件適否判定処理中に玉計数機３０の動作条件判定（図１１参照）を行うようにしても良い。
【０１２４】
ところで、図１０に示した処理では、玉計数機３０で先に店コードの適否判定を行ない、店コードが適正であると判定されることにより玉計数を開始させた状態で、Ｔ／Ｃ１０での担当者コードの適否判定を行なっているが、これに限らず、店コードと担当者コードの適否判定を同時に進めるようにしても良い。
【０１２５】
また、店コード適正判定後に担当者コードの適否判定を行なう場合（図１０の例）も、店コード及び担当者コードの適否判定を同時に進める場合のいずれにおいても、店コードが適正と判定されることにより計数を開始しておき、担当者コードが不適正と判定された場合に動作不可となってレシート発行処理に進めなくする制御方法（図１０の例）に限らず、店コード及び担当者コードの両者が適正と判断されるまで計数動作を禁止し、該両者が適正と判定された後に、玉計数からレシート発行処理までを連続的に実施する制御方法も適用可能である。
【０１２６】
また、図１０に示した計数制御においては、シャッタ３０２を開放し、その後に玉の投入を受入れて玉計数を開始するようにしているが、シャッタ３０２を開放する前に玉の投入を受入れても良い。この場合、投入された玉は玉投入部３２１に保持され、その後、シャッタ３０２が開放された時点で玉取込口３２２より取り込まれて（流れ出して）計数される。
【０１２７】
このように、実施例１のシステムでは、Ｔ／Ｃ１０の計数担当者ＤＢ１３３に、各玉計数機３０毎にその計数を許可する担当者の担当者コードを対応付けた計数担当割当情報を登録し、各玉計数機３０（玉の通路に対して閉鎖または開放状態に駆動可能で上記閉鎖状態に駆動することで玉の計数を禁止状態にするシャッタ３０２を禁止状態設定手段として備える）には店コードを設定する一方で、各担当者には自分の担当者コードと店コードを記憶したＩＣタグ３３（各玉計数機３０で記憶させる）を携帯させたうえで、玉計数機３０が近接されたＩＣタグ３３から担当者コード及び店コードを読み取り、読取った店コードが設定されている店コードに一致することが自装置で判定され、かつ読取った担当者コードが当該玉計数機３０に対応して計数担当者ＤＢ１３３に登録されていることがＴ／Ｃ１０により判定されるという条件がそろった場合にのみ、禁止状態設定手段の禁止状態を解除（シャッタ３０２の開放）して、レシート発行に至るまでの計数制御が実行される。
【０１２８】
かかる制御によれば、各担当者が自分の担当者コードを記憶したＩＣタグ３３を携帯している限りは、当該ＩＣタグ３３を用いて計数操作を行なえるのは上記計数担当者ＤＢ１３３上で自分の担当者コードが対応付け登録された玉計数機３０に限られ、それ以外の玉計数機３０は計数操作できないことになる。
【０１２９】
例えば、図９の例の場合には、各担当者は実線で結ばれる玉計数機３０に対してのみ計数を許可されることになり、これによって、各担当者毎の計数エリアは自ずと決まってくる。
【０１３０】
従って、管理者側では、計数担当者ＤＢ１３３上での、玉計数機３０とこれを担当する担当者の担当者コードの対応付けによって、各担当者毎に計数可能エリアの管理が行なえる。
【０１３１】
また、他の担当者のＩＣタグ３３を用いて計数操作を試みようとしても、計数担当者ＤＢ１３３上での、玉計数機３０とこれを担当する担当者の担当者コードの対応付けが分からない限りは、該ＩＣタグがどの玉計数機３０に適合するものかは不明であり、当該ＩＣタグ３３（他エリアの担当者のＩＣタグ）を用いて不正計数が行なわれることも防止できる。
【０１３２】
また、他店のＩＣタグを用いた場合も、店コードチェックで不適正と判定されるため、他店のＩＣタグを用いた不正計数も防止できることは言うまでもない。
【０１３３】
特に、本実施例では、Ｔ／Ｃ１０で担当者コードの適否判定を行ない、各玉計数機３０で店コードの適否判定を行なうため、図１０に示す玉計数制御に際し、各玉計数機３０ではＴ／Ｃ１０から担当者コードを受信して保持する処理、及び該保持した担当者コードと読取られた担当者コードとの照合に基づく担当者コード適否判定処理を行わずに済み、処理負担を軽減できる。
【０１３４】
また、本実施例では、担当者コード及び店コード以外の条件についても適否を判定し、当該の他の計数許可条件が不適正あった場合には、たとえ担当者コード及び店コードが適正であっても、計数を行わないように制御している。
【０１３５】
例えば、本実施例において、Ｔ／Ｃ１０の計数担当者ＤＢ１３３には、各担当者（担当者コード）毎に、更に、使用可能時間帯や使用可能日等の計数許可条件が登録されており、Ｔ／Ｃ１０では、担当者コードが使用可能条件を満足しても、使用可能時間帯や使用可能日等が違えば計数許可条件判定結果（不適正）を玉計数機３０に送出し、玉計数機３０側では、該判定結果（不適正）に基づき、シャッタ３０２を閉じたまま玉計数を行わないように制御する。これにより、勤務時間外の計数担当者のＩＣタグ３３を用いた不正計数を防止することができる。
【０１３６】
また、Ｔ／Ｃ１０の計数担当者ＤＢ１３３には、各玉計数機３０の同時使用を禁止するか否かを指示する情報も他の計数許可条件として設定できるものであり、同時使用を禁止する設定を行っている時に、同時に複数の玉計数機３０から担当者コードが受信され、その中に同一の担当者コードがある場合、シャッタ３０２を閉鎖して計数動作を禁止することによって、同一の担当者コードの別玉計数機３０による同時使用を禁止することができる。
【０１３７】
更に、本実施例では、担当者コード及び店コード以外の他の計数許可条件として、計数担当者ＤＢ１３３には登録されていない条件を加味して計数を禁止する制御も行なえる。
【０１３８】
例えば、本実施例の玉計数機３０では、上記他条件の１つとして、玉回収通路中の貯留タンク５１２に設けられた貯留量検知センサ５１３の検知出力を監視し、貯留タンク５１２が満杯であると判定された場合にも玉計数を行わないように制御している（図１１のステップＳ２４２参照）。
【０１３９】
この制御によれば、貯留タンク５１２が満杯にもかかわらず、玉計数機３０から計数完了後の玉が送り込まれて玉詰まりを招来するという事態を回避できる。
【０１４０】
また、本実施例の玉計数機３０では、上記他条件の１つとして、玉回収通路中に設けられた詰まり検知センサ５１４の検知出力を監視し、玉回収通路の玉詰まりが発生していると判定された場合にも玉計数を行わないように制御している（図１１のステップＳ２４３参照）。
【０１４１】
この制御によれば、玉回収通路の玉詰まりが発生していて、計数不能な環境下であるにもかかわらず計数を行ってしまうことを規制でき、実情にあった混乱のない運用を行なうことができる。
【０１４２】
また、本実施例の玉計数機３０では、上記他条件の１つとして、異常検出部３０７の検知出力を監視し、異常が発生していると判定された場合にも玉計数を行わないように制御している（図１１のステップＳ２４４参照）。
【０１４３】
ここで、異常検出部３０７は、例えば、異常な電波の検出、異常な振動の検出、玉計数機３０本体部のカバーの開放の検出等の種々の異常検出機能で実現できる。従って、異常検出部３０７を上記のいずれかの異常検出機能で構成し、該異常検出部３０７の検知出力から異常の発生が認識された場合に、シャッタ３０２を閉鎖して計数を行わないように制御することで、何者かによって異常な電波が発信されている、玉計数機３０が持ち上げられることで異常な振動がある、玉計数機３０本体部のカバーが開放されている等、不正な行為が行われていると予想される状況をいち早く認識して該不正行為を阻止することができる。
【実施例２】
【０１４４】
実施例２では、担当者コード及び店コードの適否判定を共にＴ／Ｃ１０で行なうものである。
【０１４５】
図１２は、実施例２に係わる遊技媒体計数システムの計数制御準備段階におけるＴ／Ｃ１０と玉計数機３０間の制御シーケンスを示す図である。
【０１４６】
このシステムにおいて、Ｔ／Ｃ１０では、登録担当者（例えば、管理者）が、入力装置１４を操作して、例えば、図８に示す情報内容を登録した計数担当者ＤＢ１３３をメモリ１３内に作成したうえで、更に、店コード（この例では、０１）を入力装置１４から設定し、当該店コードもメモリ１３内に保持する（ステップＳ１０１ｂ）。
【０１４７】
この場合、計数担当者ＤＢ１３３と店コードは別々に保持しても良いが、本実施例では、店コードも計数担当者ＤＢ１３３（以下、便宜的に１３３ｂとする）に保持する（ステップＳ１０１ｂ参照）ものとする。
【０１４８】
また、Ｔ／Ｃ１０は、上述の如く計数担当者ＤＢ１３３ｂを作成した後、該計数担当者ＤＢ１３３ｂに登録された情報の中から、店コードと、各玉計数機３０毎に対応付けられた担当者コードを抽出し、該店コード及び担当者コードをある特定の玉計数機３０に送信する（ステップＳ１０２ｂ）。
【０１４９】
その後、上記特定の玉計数機３０では、Ｔ／Ｃ１０から送出される店コード及び担当者コードを受信すると（ステップＳ２０２ｂ）、該受信した店コード及び担当者コードを例えばメモリ部３１１に記憶させる。
【０１５０】
その後、管理者は、該特定の玉計数機３０のＩＣタグ読取／書込部３０９にＩＣタグ３３を接近させることにより、メモリ部３１１に保持されている担当者コード及び店コードをそれぞれのＩＣタグ３３のＩＣタグチップ３３３に書込ませる（ステップＳ２０３ｂ）。以後、各玉計数機３０は、待機状態（ステップＳ２０５ｂ）となる。
【０１５１】
更に、管理者は、担当者コード及び店コードが書込まれたＩＣタグ３３を各担当者に渡し、運用準備を完了する。
【０１５２】
なお、各ＩＣタグ３３への担当者コード及び店コードの書き込み操作、及び書込み後の各ＩＣタグ３３の各担当者への配布は、実施例１と同様の手順で行なうことができる。
【０１５３】
その後、各担当者は、例えば、図９に示すように、自分に割り当てられた担当者コードと店コードが記憶されたＩＣタグ３３を携帯し、待機状態にあるそれぞれ対応する各玉計数機３０の計数操作に従事することになる。
【０１５４】
但し、実施例２に係わるシステムでは、担当者コード及び店コードは玉計数機３０に記憶される訳でなく、上述した通り、Ｔ／Ｃ１０の計数担当者ＤＢ１３３内に店コードと共に登録されている。
【０１５５】
図１３は、本実施例に係わる玉計数機３０（３０Ａ，３０Ｂ，３０Ｃ，…）の計数制御動作を示すフローチャートである。
【０１５６】
上記運用準備が完了し、玉計数機３０が待機状態（ステップＳ２０５ｂ）となった後、遊技客が、遊技機４０での遊技によって獲得した玉を計数しようとする場合、実施例１と同様に担当者を呼び出す。
【０１５７】
呼び出しに応じて駆け付けた担当者は、自分が担当する玉計数機３０まで客が獲得した玉を持って行き、該玉計数機３０のＩＣタグ読取／書込部３０９に自分が携帯しているＩＣタグ３３を図６に示すような方法でかざす（近接させる）。
【０１５８】
玉計数機３０は、待機状態（ステップＳ２０５ｂ）において、ＩＣタグ読取／書込部３０９にＩＣタグ３３が近接される（ステップＳ２０６ｂＹＥＳ）と、該ＩＣタグ読取／書込部３０９が近接されたＩＣタグ３３から担当者コード及び店コードを読取る（ステップＳ２０７ｂ）。
【０１５９】
次いで、計数制御部３１５１は、ＩＣタグ３３から読取った担当者コード及び店コードをＴ／Ｃ１０に送信する（ステップＳ２０８ｂ）。
【０１６０】
これに対し、Ｔ／Ｃ１０は、玉計数機３０から担当者コード及び店コードを受信すると、適否判定処理部１１１が、まず、該受信した店コードを計数担当者ＤＢ１３３ｂに登録されている店コードと照合し（ステップＳ１０５ｂ）、両者が一致するか否かによって店コードが適正か否かを判定する（ステップＳ１０６ｂ）。
【０１６１】
ここで、店コードが不適正であると判定された場合（ステップＳ１０６ｂＮＯ）、適否判定処理部１１１は、計数許可条件が不適正であるとの判定結果（不適正）を玉計数機３０に送出する（ステップＳ１０７ｂ）。
【０１６２】
また、店コードが適正であると判定された場合（ステップＳ１０６ｂＹＥＳ）、適否判定処理部１１１は、玉計数機３０から受信した担当者コードと該担当者コードの送信元玉計数機３０の識別情報（計数機番号）をキーに計数担当者ＤＢ１３３ｂ中の担当者コード及び計数機番号の対応関係をチェックし（ステップＳ１０８ｂ）、受信した担当者コードに一致する担当者コードが送信元玉計数機３０の計数機番号に対応して登録されているか否かによって担当者コードが適正か否かを判定する（ステップＳ１０９ｂ）。
【０１６３】
ここで、担当者コードが適正でないと判定された場合（ステップＳ１０９ｂＮＯ）、適否判定処理部１１１は、計数許可条件が不適正であるとの判定結果（不適正）を玉計数機３０に送出する（ステップＳ１０７ｂ）。
【０１６４】
また、担当者コードが適正であると判定された場合（ステップＳ１０９ｂＹＥＳ）、次いで、適否判定処理部１１１は、該担当者コードに対応して計数担当者ＤＢ１３３ｂに登録されている他条件をチェックし（ステップＳ１１０ｂ）、当該他条件が適正か否かを判定する（ステップＳ１１１ｂ）。
【０１６５】
この他条件の適否判定において、適否判定処理部１１１は、適性であると判定された担当者コードに対応して計数担当者ＤＢ１３３ｂに登録されている使用可能時間帯及び使用可能日の各情報と、例えば制御部１１内に設けられるカレンダー機能を有する計時部１１２で計時した現在の時刻及びカレンダー機能より特定された曜日とを比較し、計時時刻が設定されている使用可能時間帯内にあり、かつ計時部１１２により特定された曜日が設定されている使用可能日に該当していれば他条件が適正であると判定し、計時時刻が設定されている使用可能時間帯外か、計時部１１２により特定された曜日が設定されている使用可能日に該当していないかの少なくともいずれか一方であれば、他条件が不適正であると判定する。
【０１６６】
また、他条件として、計数担当者ＤＢ１３３ｂに担当者コードに関する同時使用「禁止」が設定されている場合、適否判定処理部１１１は、複数の玉計数機３０から受信中の担当者コードの中に同一の担当者コードがあるか否かを監視し、該受信中の複数の担当者コードに同一の担当者コードが存在する場合は他条件が不適正であると判定する。
【０１６７】
上記ステップＳ１１１ｂにおいて、他条件が不適正であると判定された場合（ステップＳ１１１ｂＮＯ）、適否判定処理部１１１は、計数許可条件が不適正であるとの判定結果（不適正）を玉計数機３０に送出する（ステップＳ１０７ｂ）。
【０１６８】
また、他条件が適正であると判定された場合（ステップＳ１１１ｂＹＥＳ）、適否判定処理部１１１は、計数許可条件が適正であるとの判定結果（適正）を玉計数機３０に送出し（ステップＳ１１２ｂ）、以後、待機状態に復帰する。
【０１６９】
これに対して、玉計数機３０は、上記ステップＳ２０８ｂでＴ／Ｃ１０に担当者コード及び店コードを送信した後、Ｔ／Ｃ１０から送信される計数許可条件適否判定結果を受信する（ステップＳ２０９ｂ）と、計数制御部３１５１が、該受信した判定結果に基づき計数許可条件の適否判定を行う（ステップＳ２１０ｂ）。
【０１７０】
ここで、受信された判定結果（不適正）に基づき、計数許可条件が不適正であると判定された場合（ステップＳ２１０ｂＮＯ）、計数制御部３１５１はステップＳ２２０ｂに進んでブザー３１２を鳴動させる等のエラー報知処理を行う。
【０１７１】
これに対して、受信された判定結果（適性）により、計数許可条件が適正であると判定された場合（ステップＳ２１０ｂＹＥＳ）、計数制御部３１５１は、シャッタ３０２を開放するように制御し（ステップＳ２１１ｂ）、計数動作を開始させる。
【０１７２】
シャッタ３０２を開放した後、計数制御部３１５１は、まず、玉収容器から玉投入部３２１に投入され、シャッタ３０２の開放によって玉取込口３２２から取込まれる玉が１個通過する毎に計数センサ３０２から出力されるパルスを検知して玉が投入されている（ステップＳ２１２ｂＹＥＳ）ことを認識しながら、該出力パルスに基づいて玉数を計数する（ステップＳ２１３ｂ）。
【０１７３】
そして、上記出力パルスが得られない期間が一定時間続くことにより計数終了を認識すると（ステップＳ２１４ｂＹＥＳ）、計数制御部３１５１は、シャッタ３０２を閉鎖するように制御し（ステップＳ２１５ｂ）、次いで、レシート発行機３５に対してレシート発行を指示（ステップＳ２１６ｂ）する。
【０１７４】
このレシート発行指示に際し、玉計数機３０では、それまでの玉計数により得た玉計数値をもとに特殊景品に交換できない余り玉があるか否かを判断して、余り玉のない値をレシート発行機３５に送信し、余り玉分は玉返却部３０６より排出した後、待機状態に復帰する。
【０１７５】
レシート発行機３５では、玉計数機３０からのレシート発行指示に基づき、該指示と共に受信した玉計数値（余り玉のない値）や、計数日時、計数機の番号等の情報を印字した玉数レシートを発行する。
【０１７６】
なお、上記処理動作中、Ｔ／Ｃ１０では、店コードが不適正であると判定された場合（ステップＳ１０６ｂＮＯ）、担当者コードが不適正であると判定された場合（ステップＳ１０９ｂＮＯ）、及び他条件が不適正と判定された場合（ステップＳ１１１ｂＮＯ）、それぞれ、判定結果（不適正）を玉計数機３０に送出するのに合わせて、例えば、表示装置１５に担当者コードあるいは他条件が不適正であることを示すメッセージ等の警告画面を表示する。
【０１７７】
なお、本実施例においても、実施例１と同様、図１３のステップＳ２１０ｂにおける計数許可条件の適否判定処理において、玉計数機３０では、更に、例えば図１１に示すような他の条件（貯留タンク５１２の貯留量、玉詰まり、異常電波受信等の異常）の適否判定を行い、これら他条件が不適正であれば、計数許可条件が不適正との判定するようにしても良い。
【０１７８】
また、図１３においては、Ｔ／Ｃ１０で計数許可条件（店コード、担当者コード及び他条件）が全て適正と判断されるまで計数動作を禁止し、該計数許可条件が適正と判定された後に、玉計数機３０が玉計数からレシート発行処理までを連続的に実施する制御内容であるが、これに限らず、例えば、玉計数機３０で、ＩＣタグ３３のタグ情報読取り後からシャッタ３０２を開放して玉の計数を開始しておき、その後、ステップＳ２１０ｂで計数許可条件が不適正と判定された場合に動作不可となってレシート発行処理に進めなくする制御方法を適用することもできる。
【０１７９】
この場合、玉計数機３０では、既に終了している玉計数により取得した玉計数値はメモリ部３１１に記憶しておき、適正な復旧処理がなされた後に、レシート発行機３５にレシート発行指示を行い、レシートを発行させ得る構成としても良い。
【０１８０】
このように、実施例２に係わるシステムでは、Ｔ／Ｃ１０の計数担当者ＤＢ１３３ｂに、店コードと、各玉計数機３０毎に担当者コードを対応付け設定した計数端割当情報とを登録する一方で、各担当者には自分の担当者コードと店コードを記憶したＩＣタグ３３を携帯させたうえで、玉計数機３０が近接されたＩＣタグ３３から担当者コード及び店コードを読取ってＴ／Ｃ１０に送り、該Ｔ／Ｃ１０で各玉計数機３０から受信した担当者コード及び店コード、更には他条件の全ての計数許可条件が適正であると判定された場合にのみ、その判定結果を受信した各玉計数機３０においてレシート発行に至るまでの計数制御が実行される。
【０１８１】
かかる制御によって、本実施例においても、各担当者がＩＣタグ３３を用いて計数操作を行なえる玉計数機３０を、計数担当者ＤＢ１３３ｂ上で自分の担当者コードが対応付け登録された玉計数機３０に限定し、それ以外の玉計数機３０は計数操作できないようにすることによって、担当エリア外や勤務時間外の計数担当者のＩＣタグ３３を用いた不正計数を防止することができる、という実施例１と同等の作用効果が期待できる。
【０１８２】
特に、本実施例では、担当者コード及び店コードの適否判定をいずれもＴ／Ｃ１０で行なうようにしたため、各玉計数機３０ではＩＣタグ３３から読取った担当者コード及び店コードをＴ／Ｃ１０に送り、その後、Ｔ／Ｃから計数許可条件の適否判定結果を受信するだけの処理で済むようになり、玉計数制御における玉計数機３０での処理負担を実施例１にも増して軽減できる。
【実施例３】
【０１８３】
実施例１及び実施例２では、別体で構成されるレシート発行機３５を接続する玉計数機３０の例を挙げているが、本発明は、レシート発行機構やカード処理部を内蔵する発行機能付玉計数機にも適用可能である。
【０１８４】
図１４は、本実施例の遊技媒体計数システムに用いる発行機能付玉計数機３６の機能構成を示すブロック図である。図１４において、図４に示した実施例１に係わる玉計数機３０の各部と同様の機能を果たす部分には同一の符号を付している。
【０１８５】
ここで、発行機能付玉計数機３６が持つ玉計数機３０とは異なる構成要素について説明する。
【０１８６】
本実施例に係わる発行機能付玉計数機３６には、玉計数機３０とは異なる構成要素として、表示パネルに情報を表示する機能と、表示パネルに表示されたボタン等を例えば手で触るなどにより玉計数等に係わる各種情報を入力する機能を有する表示／操作３６１、計数制御部３１５１ａからのレシート発行指示に応じて玉数レシートを発行する計数レシート発行部３６２、会員カードを受け入れて貯玉等の処理を行うカード処理部３６３が備わる。
【０１８７】
また、発行機能付玉計数機３６では、計数レシート発行部３６２及びカード処理部３６３を内蔵している構造上、制御部３１５内の計数制御部３１５１ａは、実施例１に示した制御に加えてこれら両者を制御する機能を有する。
【０１８８】
また、通信Ｉ／Ｆ部３１４は、別体から成るレシート発行機３５とは通信を行う必要はなく、Ｔ／Ｃ１０、貯留量検知センサ５１３、詰まり検知センサ５１４等の通信を行う機能構成を有する。つまり、発行機能付玉計数機３６では、玉計数制御に基づく利用データは、レシート発行機３５を介さず、Ｔ／Ｃ１０に直接送信される。
【０１８９】
また、発行機能付玉計数機３６では、玉投入部には手動で動かす蓋部材が配置される。但し、その内部には、上記実施例で示した玉計数機３０と同様のモータ駆動によるシャッタ機構が配置されている。
【０１９０】
なお、発行機能付玉計数機３６に採用される蓋部材は、実施例１，２に開示した玉計数機３０にも採用することが可能である。
【０１９１】
本実施例に係わる発行機能付玉計数機３６は、例えば、図１のシステム構成中のその他の機器（６０）の１つとして設置されるか、あるいは、各パチンコ島Ａ，Ｂ，Ｃ，…内の玉計数機３０Ａ，３０Ｂ，３０Ｃ，…の代わりに若しくはこれらと混在して設置される。
【０１９２】
上記の如く配置された発行機能付玉計数機３６を有する本実施例の遊技媒体計数システムを運用する第１の方法としては、例えば、実施例１のように、Ｔ／Ｃ１０に計数担当者ＤＢ１３３（便宜的に、１３３ｃとする）を登録すると共に、発行機能付玉計数機３６には店コードを設定し、発行機能付玉計数機３６では店コードの適否判定を行なう一方で、Ｔ／Ｃ１０側では担当者コード及び他条件の適否判定を行ない、発行機能付玉計数機３６で店コードが適正と判定され、Ｔ／Ｃ１０で担当者コード及び他条件が適正であると判定された場合に、該発行機能付玉計数機３６がシャッタ３０２を開放して計数動作を開始する方法（第１の方法）がある。
【０１９３】
この場合、Ｔ／Ｃ１０に登録される計数担当者ＤＢ１３３ｃは、例えば、図８に示す計数担当者ＤＢ１３３の計数機番号の欄に、各発行機能付玉計数機３６の計数機番号（１０１，１０２，１０３、…）を登録し、かつ該各計数機番号（１０１，１０２，１０３、…）に対応して、それぞれ、担当者コードや使用時間帯情報等を登録したものである。
【０１９４】
また、発行機能付玉計数機３６には、運用に先立ってＴ／Ｃ１０との間で例えば図７に示す玉計数機３０と同等の通信制御を経て担当者コード及び店コードをＩＣタグ３３に記録し、管理者が、該担当者コード及び店コードを記録したＩＣタグを各担当者に渡しておく必要がある。
【０１９５】
そのうえで、発行機能付玉計数機３６は、Ｔ／Ｃ１０との間で、例えば、図１０に示す玉計数機３０と同等の処理手順に従って計数動作を行う。
【０１９６】
これにより、本システムでは、発行機能付玉計数機３６が近接されたＩＣタグ３３から担当者コード及び店コードを読み取り、読取った店コードが設定されている店コードに一致することが自装置で判定され、かつ読取った担当者コードが当該発行機能付玉計数機３６の識別情報（発行機能付玉計数機番号）に対応して計数担当者ＤＢ１３３ｃに登録されていることがＴ／Ｃ１０により判定され、更に使用可能時間帯等の他条件も適正であるという条件がそろった場合にのみレシート発行に至るまでの計数制御が実行される。
【０１９７】
また、実施例３に係わる遊技媒体計数システムを運用する第２の方法としては、例えば、実施例２のように、Ｔ／Ｃ１０に店コード及び担当者コードを含む計数担当者ＤＢ１３３（便宜的に、１３３ｄとする）を登録しておき、発行機能付玉計数機３６から送られる担当者コード及び店コードに基づき、担当者コード及び他条件の適否判定を行ない、該店コード、担当者コード及び他条件が適正であることがＴ／Ｃ１０側で判定された場合に、該発行機能付玉計数機３６がシャッタ３０２を開放して計数動作を開始する方法がある。
【０１９８】
この場合も、Ｔ／Ｃ１０に登録される計数担当者ＤＢ１３３ｄは、本実施例の上記第１の方法で用いた計数担当者ＤＢ１３３ｃと同等のもので良い。
【０１９９】
また、発行機能付玉計数機３６には、運用に先立ってＴ／Ｃ１０との間で例えば図７に示す玉計数機３０と同等の通信制御を経て担当者コード及び店コードをＩＣタグ３３に記録し、管理者が、該担当者コード及び店コードを記録したＩＣタグを各担当者に渡しておく必要がある。
【０２００】
そのうえで、発行機能付玉計数機３６は、Ｔ／Ｃ１０との間で、例えば、図１３に示す玉計数機３０と同等の処理手順に従って計数動作を行う。
【０２０１】
これにより、本システムでは、発行機能付玉計数機３６が近接されたＩＣタグ３３から担当者コード及び店コードを読取ってＴ／Ｃ１０に送り、該Ｔ／Ｃ１０で各発行機能付玉計数機３６から受信した担当者コード及び店コード、更には他条件の全ての計数許可条件が適正であると判定された場合にのみ、その判定結果を受信した各発行機能付玉計数機３６でレシート発行に至るまでの計数制御が実行される。
【０２０２】
上述した第１または第２の方法に基づく一連の計数制御において、発行機能付玉計数機３６の計数制御部３１５１ａは、玉の計数終了後、実施例１，２では、レシート発行機３５に対して発行していたレシート発行指示を計数レシート発行部３６２に対して行う。計数レシート発行部３６２は、上記レシート発行指示に基づき、玉数レシートを発行する。
【０２０３】
また、本実施例の発行機能付玉計数機３６では、玉の計数終了後、カード挿入口から会員カードが挿入されると、カード処理部３６３は、当該会員カードを受入れ、この状態で所定の操作が行われると、貯玉処理を行う。
【０２０４】
この貯玉処理において、カード処理部３６３は、計数制御部３１５１ａから玉計数値を取得し、表示／操作部３５１の表示画面に、玉計数値と貯玉を行うか否かを選択するガイダンスを表示し、ここで、貯玉を行うことが選択されると、挿入された会員カードからカードＩＤ（会員コード）を読み取り、該カードＩＤと上記玉計数値とをＴ／Ｃ１０に送信する。
【０２０５】
一方、Ｔ／Ｃ１０は、カード処理部３６３からカードＩＤと玉計数値を受信すると、メモリ１３に予め登録されている会員管理テーブル１３１内で、当該カードＩＤに対応する貯玉数を当該カードＩＤと共に受信した玉計数値に更新する処理（貯玉処理）を行い、該貯玉処理が正常に終了すると、正常終了通知とカード排出指示をカード処理部３６３に送信する。
【０２０６】
カード処理部３６３は、Ｔ／Ｃ１０から受信した正常終了通知に基づき表示／操作部３６１の表示画面上に正常終了の旨を表示すると共に、同時に受信したカード排出指示に基づき挿入中の会員カードを返却する。
【０２０７】
このように、実施例３に係わる発行機能付玉計数機３６では、実施例１，２に係わる玉計数機３０と同様、ＩＣタグ３３から読取った店コード及び担当者コード、更には他条件までも不適正な場合には、禁止状態設定手段（シャッタ３０２）の禁止状態を解除（シャッタ３０２の開放）しないままに維持して玉計数を行なえなくするよう制御することによって、担当エリア外や勤務時間外の担当者のＩＣタグ３３を用いた不正計数（玉計数）を防止することが可能となる。
【実施例４】
【０２０８】
実施例１乃至３においては、遊技媒体計数装置として玉計数機を用いる例を挙げたが、本発明は、玉以外の遊技媒体、例えば、スロット機により獲得したメダルを計数するメダル計数機に適用可能である。
【０２０９】
図１５は、実施例４に係わる遊技媒体計数システムに用いるメダル計数機７０の機能構成を示すブロック図である。
【０２１０】
図１５に示すように、本実施例に係わるメダル計数機７０は、表示パネルに情報を表示する機能と、表示パネルに表示されたボタン等を例えば手で触るなどによりメダル計数等に係わる各種情報を入力する機能を有する表示／操作７０１、メダル投入部に投入されたメダルを検知するメダル検知部７０２、メダル投入部に投入されたメダルを繰り出すための回転動作を行なう計数円板７０３、計数円板７０３を回転駆動したり該回転駆動を停止するように駆動する駆動モータ７０４、計数円板７０３から繰り出されるメダルを１個ずつ検知して計数パルスを出力する計数センサ７０５、計数完了後、特殊景品の交換価値に満たないメダルを返却するメダル返却部７０６、異常電波、異常振動あるいはカバー開放等の異常を検出する異常検出部７０７、店員が携帯するＩＣタグ３３が近接された時に該ＩＣタグ３３からＩＣタグ情報を読み出すと共に、該近接されたＩＣタグ３３に情報を書き込むＩＣタグ読取／書込部７０８（特許請求の範囲における「識別タグ情報処理手段」に対応する）、カレンダー機能を有する計時部７０９、各種情報を記憶するメモリ部７１０、計数異常等を報知するための警告音を出力するブザー７１１、各部に電源を供給する電源部７１２、Ｔ／Ｃ１０、レシート発行機３５、メダル回収機構等との通信を行う通信インタフェース（Ｉ／Ｆ）部７１３、メダル計数機７０全体の制御を行う制御部７１５を具備して構成される。
【０２１１】
制御部７１５には、計数担当者が携帯しているＩＣタグ３３をＩＣタグ読取／書込部７０８に近接した時に該ＩＣタグ３３からＩＣタグ読取／書込部７０８によって読取られたタグ情報（店コード及び担当者コード）、並びに他の条件が適正であると判定（判定方法には、実施例１，２に示す方法がある。）された場合、計数円板７０３を回転駆動してメダルの計数を行い、店コード、担当者コード及び他の条件の少なくともいずれか１つが不適正であると判定された場合には、計数円板７０３を回転駆動を停止してメダルの計数を行わないように制御する計数制御部７１５１が備わる。
【０２１２】
このメダル計数機７０では、遊技媒体の計数動作を禁止状態に設定する禁止状態設定手段として、メダルを受け入れてメダル計数位置を通過させるように回転される計数円板７０３が設けられる。
【０２１３】
このメダル計数機７０は、例えば、図１におけるパチンコ島（島Ａ，Ｂ，Ｃ，…）とは別のエリアであるスロット島（図示せず）内に、複数のスロット機、各スロット機に対応してメダルを貸し出すメダル貸出機、レシート発行機３５、メダル回収機構等と共に設置され、Ｔ／Ｃ１０やレシート発行機３５等と通信可能に構成されている。
【０２１４】
上記の如く配置されたメダル計数機７０を有する本実施例の遊技媒体計数システムを運用する方法について以下に述べる。
【０２１５】
上記の如く配置されたメダル計数機７０を有する本実施例の遊技媒体計数システムを運用する第１の方法としては、例えば、実施例１のように、Ｔ／Ｃ１０に計数担当者ＤＢ１３３（便宜的に、１３３ｅとする）を登録すると共に、メダル計数機７０には店コードを設定し、メダル計数機７０では店コードの適否判定を行なう一方で、Ｔ／Ｃ１０側では担当者コード及び他条件の適否判定を行ない、メダル計数機７０で店コードが適正と判定され、Ｔ／Ｃ１０で担当者コード及び他条件が適正であると判定された場合に、該メダル計数機７０が計数円板７０３を回転駆動してメダルの計数を行なう方法（第１の方法）がある。
【０２１６】
この場合、Ｔ／Ｃ１０に登録される計数担当者ＤＢ１３３ｅは、例えば、図８に示す計数担当者ＤＢ１３３の計数機番号の欄に、各メダル計数機７０の計数機番号（２０１，２０２，２０３、…）を登録し、かつ該各計数機番号（２０１，２０２，２０３、…）に対応して、それぞれ、担当者コードや使用時間帯情報等を登録したものである。
【０２１７】
また、メダル計数機７０には、運用に先立ってＴ／Ｃ１０との間で例えば図７に示す玉計数機３０と同等の通信制御を経て担当者コード及び店コードをＩＣタグ３３に記録し、管理者が、該担当者コード及び店コードを記録したＩＣタグを各担当者に渡しておく必要がある。
【０２１８】
そのうえで、メダル計数機７０は、Ｔ／Ｃ１０との間で、例えば、図１６に示すフローチャートに従った計数動作制御を行う。
【０２１９】
なお、図１６において、Ｔ／Ｃ１０の処理動作は、通信相手が玉計数機３０からメダル計数機７０に変わった以外は図１０の処理動作と同様である。また、図１６においては、図１０におけるシャッタ開閉動作はなくなっており、メダル計数機７０が計数円板７０３の回転駆動（メダル計数）／回転駆動停止（メダル計数停止）動作を行なう。
【０２２０】
図１６におけるメダル計数機７０の処理動作のうち、ステップＳ２１０ｃ〜Ｓ２１３ｃ（メダル計数動作）及びステップＳ２１７ｃ（メダル計数停止動作）以外の各処理動作は、図１０における玉計数機３０の処理動作と同等（但し、ステップ番号末尾の符号が“ｂ”から“ｃ”に代わっている）のものである。
【０２２１】
従って、図１６においては、上記ステップＳ２１０ｃ〜Ｓ２１３ｃ、及びステップＳ２１７ｃの処理動作を主体に説明し、他の詳しい動作は割愛する。
【０２２２】
上記第１の方法に基づく本システムでの計数動作の運用中、メダル計数機７０では、担当者によって近接されたＩＣタグ３３からＩＣタグ読取／書込部７０８で読取った担当者コード及び店コードのうち、店コードが適正でないと判定された場合（ステップＳ２０９ｃＮＯ）、計数制御部７１５１は、例えば、表示／操作部７０１の表示画面に店コードが不適正である旨のメッセージを表示したり、ブザー７１１を鳴動させて警報を発する等のエラー報知処理を行う（ステップＳ２２０ｃ）。
【０２２３】
これに対して、店コードが適正であると判定された場合（ステップＳ２０９ｃＹＥＳ）、計数制御部７１５１は、駆動モータ７０４に駆動を指示して計数円板７０３を回転駆動する（ステップＳ２１０ｃ）。
【０２２４】
計数円板７０３の回転駆動後、計数制御部７１５１は、メダル投入部（図示せず）から投入され、計数円板７０３の回転駆動によって繰り出されるメダルが１個通過する毎に計数センサ７０５から出力されるパルスを検知してメダルが投入されている（ステップＳ２１１ｃＹＥＳ）ことを認識しながら、該出力パルスに基づいてメダルを計数する（ステップＳ２１２ｃ）。
【０２２５】
そして、上記出力パルスが得られない期間が一定時間続くことにより計数終了を認識すると（ステップＳ２１３ｃＹＥＳ）、上記ステップＳ２０７ｃでＩＣタグ３３から読取ったタグ情報のうちの担当者コードをＴ／Ｃ１０に送出する（ステップＳ２１４ｃ）。
【０２２６】
その後、メダル計数機７０は、Ｔ／Ｃ１０からステップＳ１０５ｃ〜ステップＳ１１０ｃの処理を経て送られてくる計数許可条件適否判定結果の受信待ちとなる。
【０２２７】
この受信待ち中、Ｔ／Ｃ１０から送信される計数許可条件適否判定結果を受信する（ステップＳ２１５ｃ）と、計数制御部７１５１が、該受信した判定結果に基づき計数許可条件の適否判定を行う（ステップＳ２１６ｃ）。
【０２２８】
ここで、受信された判定結果（不適正）に基づき、計数許可条件が不適正であると判定された場合（ステップＳ２１６ｃＮＯ）、計数制御部７１５１はステップＳ２２０ｃに進んでエラー報知の処理を行う。
【０２２９】
これに対して、受信された判定結果（適正）により、計数許可条件が適正であると判定された場合（ステップＳ２１６ｃＹＥＳ）、計数制御部７１５１は、駆動モータ７０４に指示して計数円板７０３の回転駆動を停止するように制御し（ステップＳ２１７ｃ）、次いで、レシート発行機３５に対してレシート発行指示を送出（ステップＳ２１８ｃ）した後、余りメダルの返却等を経て待機状態に復帰する。
【０２３０】
このように、実施例４の上記第１の方法に基づく運用においては、メダル計数機７０が近接されたＩＣタグ３３からＩＣタグ読取／書込部７０８により担当者コード及び店コードを読み取り、読取った店コードが設定されている店コードに一致することが自装置で判定され、かつ読取った担当者コードが当該メダル計数機７０に対応して計数担当者ＤＢ１３３ｅに登録されていることがＴ／Ｃ１０により判定され更に他の条件も適正であるという条件がそろった場合にのみレシート発行に至るまでの計数制御が実行される。
【０２３１】
なお、図１６におけるメダル計数機７０の処理動作では、駆動モータ７０４の駆動停止（計数円板７０３回転駆動停止）のタイミングは、判定結果が適正（Ｓ２１６ｃＹＥＳ）の後になっているが、メダル計数終了後であればどのタイミングに駆動モータ７０４の駆動を停止しても良い。
【０２３２】
また、実施例４に係わる遊技媒体計数システムを運用する第２の方法としては、例えば、実施例２のように、Ｔ／Ｃ１０に店コード及び担当者コードを含む計数担当者ＤＢ１３３（便宜的に、１３３ｆとする）を登録しておき、メダル計数機７０から送られる担当者コード及び店コードに基づき、担当者コード及び他条件の適否判定を行ない、該店コード、担当者コード及び他条件が適正であることがＴ／Ｃ１０側で判定された場合に、該メダル計数機７０が計数円板７０３を回転駆動してメダルの計数動作を開始する方法がある。
【０２３３】
この場合も、Ｔ／Ｃ１０に登録される計数担当者ＤＢ１３３ｆは、本実施例の上記第１の方法で用いた計数担当者ＤＢ１３３ｅと同等のもので良い。
【０２３４】
また、メダル計数機７０には、運用に先立ってＴ／Ｃ１０との間で例えば図１２に示す玉計数機３０と同等の通信制御を経て担当者コード及び店コードをＩＣタグ３３に記録し、管理者が、該担当者コード及び店コードを記録したＩＣタグを各担当者に渡しておく必要がある。
【０２３５】
そのうえで、メダル計数機７０は、Ｔ／Ｃ１０との間で、例えば、図１７に示すフローチャートに従った計数動作制御を行う。
【０２３６】
なお、図１７において、Ｔ／Ｃ１０の処理動作は、通信相手が玉計数機３０からメダル計数機７０に変わった以外は図１３の処理動作と同様である。また、図１７においては、図１３におけるシャッタ開閉動作はなくなっており、メダル計数機７０が計数円板７０３の回転駆動（メダル計数）／回転駆動停止（メダル計数停止）動作を行なう。
【０２３７】
メダル計数機７０の処理動作のうち、ステップＳ２１０ｄ〜Ｓ２１５ｃ（メダル計数動作及びメダル計数停止動作）以外の各処理動作は、図１３における玉計数機３０の処理動作と同等（但し、ステップ番号末尾の符号が“ｂ”から“ｄ”に代わっている）のものである。
【０２３８】
従って、図１７においては、上記ステップＳ２１０ｄ〜Ｓ２１５ｄの処理動作を主体に説明し、他の詳しい動作は割愛する。
【０２３９】
上記第２の方法に基づく本システムでの計数動作の運用中、メダル計数機７０では、担当者によって近接されたＩＣタグ３３からＩＣタグ読取／書込部７０８で読取った担当者コード及び店コードの両者をＴ／Ｃ１０に送信（ステップＳ２０８ｄ）した後、Ｔ／Ｃ１０から送信される計数許可条件適否判定結果を受信する（ステップＳ２０９ｄ）と、計数制御部７１５１が、該受信した判定結果に基づき計数許可条件の適否判定を行う（ステップＳ２１０ｄ）。
【０２４０】
ここで、受信された判定結果（不適正）に基づき、計数許可条件が不適正であると判定された場合（ステップＳ２１０ｄＮＯ）、計数制御部７１５１はステップＳ２２０ｄに進んでブザー７１１を鳴動させる等のエラー報知処理を行う。
【０２４１】
これに対して、受信された判定結果（適性）により、計数許可条件が適正であると判定された場合（ステップＳ２１０ｄＹＥＳ）、計数制御部７１５１は、計数円板７０３を回転駆動するように制御し（ステップＳ２１１ｄ）、メダル計数動作を開始させる。
【０２４２】
計数円板７０３の回転駆動後、計数制御部７１５１は、メダル投入部（図示せず）から投入され、計数円板７０３の回転駆動によって繰り出されるメダルが１個通過する毎に計数センサ７０５から出力されるパルスを検知してメダルが投入されている（ステップＳ２１２ｄＹＥＳ）ことを認識しながら、該出力パルスに基づいてメダルを計数する（ステップＳ２１３ｄ）。
【０２４３】
そして、上記出力パルスが得られない期間が一定時間続くことにより計数終了を認識すると（ステップＳ２１４ｄＹＥＳ）、計数制御部７１５１は、駆動モータ７０４に指示して計数円板７０３の回転駆動を停止するように制御し（ステップＳ２１５ｄ）、次いで、レシート発行機３５に対してレシート発行指示を送出（ステップＳ２１６ｄ）した後、余りメダルの返却等を経て待機状態に復帰する。
【０２４４】
このようにして、実施例４の上記第２の方法に基づく運用においては、メダル計数機７０が近接されたＩＣタグ３３からＩＣタグ読取／書込部７０８により担当者コード及び店コードを読取ってＴ／Ｃ１０に送り、該Ｔ／Ｃ１０で各玉計数機３０から受信した担当者コード及び店コード、更には他条件の全ての計数許可条件が適正であると判定された場合にのみ、その判定結果（適正）を受信した各メダル計数機７０においてレシート発行に至るまでの計数制御が実行される。
【０２４５】
以上の如く、実施例４に係わるメダル計数機７０においても、実施例１，２に係わる玉計数機３０、あるいは実施例３に係わる発行機能付玉計数機３６と同様、ＩＣタグ３３から読取った店コード及び担当者コードが不適正な場合には、禁止状態設定手段（計数円板７０３）の禁止状態を解除（計数円板７０３の回転駆動）しないままに維持してメダル計数を行なえなくするよう制御することによって、担当エリア外や勤務時間外の担当者のＩＣタグ３３を用いた不正計数（メダル計数）を防止することが可能となる。
【０２４６】
この他、本発明は、上記し、且つ図面に示す実施例に限定することなく、その要旨を変更しない範囲内で適宜変形して実施できるものである。
【０２４７】
例えば、上記実施例１、２に係わる玉計数機３０、実施例３に係わる発行機能付玉計数機３６は、玉の計数の許可、禁止を制御する機構としてシャッタ機構を用いているが、この種の機構として、例えば、玉投入部の上部を覆って玉の投入を阻止する機構や、玉計数部への玉の通路を遮断する機構を採用しても良い。
【０２４８】
また、上記各実施例では、計数担当者識別用のタグであるＩＣタグ３３としてリストバンド型のものを用いたが、カード型のＩＣタグを用いることもできる。
【産業上の利用可能性】
【０２４９】
本発明は、計数担当者が客から呼ばれて計数動作を開始させる遊技媒体計数装置を含む遊技媒体計数システムに適用でき、非接触型ＩＣタグから成る計数担当者用識別タグから読取られた担当者識別情報が、当該遊技媒体計数装置に対応して登録されていない場合には、当該遊技媒体計数装置で当該識別タグを用いた計数動作を禁止する制御を通じて、勤務時間外や担当エリア外の計数担当者の識別タグを用いた不正計数を防止することができる。
【図面の簡単な説明】
【０２５０】
【図１】本発明に係る遊技店システムの概略構成を示すブロック図。
【図２】Ｔ／Ｃの機能構成を示す図。
【図３】島における玉循環プロセスを示す概念図。
【図４】本発明に係わる玉計数機の機能構成を示すブロック図。
【図５】本発明に係わる玉計数機の断面構成を示す概念図。
【図６】ＩＣタグの具体的な実施形態を示す図。
【図７】実施例１に係わるＴ／Ｃと玉計数機間の制御シーケンスを示す図。
【図８】実施例１に係わる計数担当者ＤＢの一例を示す図。
【図９】玉計数機と各担当者が携帯するＩＣタグの記憶情報の関係を示す図。
【図１０】実施例１に係わる玉計数機の計数制御動作を示すフローチャート。
【図１１】図１０におけるＳ２１６ａでの他条件適否判定処理動作を示すフローチャート。
【図１２】実施例２に係わるＴ／Ｃと玉計数機間の制御シーケンスを示す図。
【図１３】実施例２に係わる玉計数機の計数制御動作を示すフローチャート。
【図１４】実施例３に係わる発行機能付玉計数機の機能構成を示すブロック図。
【図１５】実施例４に係わるメダル計数機の機能構成を示すブロック図。
【図１６】実施例４に係わるメダル計数機の第１の方法に基づく計数制御動作を示すフローチャート。
【図１７】実施例４に係わるメダル計数機の第２の方法に基づく計数制御動作を示すフローチャート。
【符号の説明】
【０２５１】
１０…管理装置（Ｔ／Ｃ）、１１…制御部（ＣＰＵ）、１１１…適否判定処理部、１１２…計時部、１２…記憶装置、１３…メモリ、１３１…会員管理テーブル、１３３，１３３ｃ，１３３ｄ，１３３ｅ，１３３ｆ…計数担当者データベース（ＤＢ）、１４…入力装置、１５…表示装置、１６…通信インタフェース（Ｉ／Ｆ）部、１７…プリンタ、２０，２０Ａ，２０Ｂ，２０Ｃ…島コントローラ、３０，３０Ａ，３０Ｂ，３０Ｃ…玉計数機、３６…発行機能付玉計数機、３００…入力部、３０１…表示部、３０２…シャッタ、３０３…シャッタ駆動モータ、３０４…シャッタ開閉検知センサ、３０５…計数センサ、３０６…玉返却部、３０７…異常検出部、３０８…シャッタ開閉スイッチ、３０９…ＩＣタグ読取／書込部、３１０…計時部、３１１…メモリ部、３１２…ブザー、３１３…電源部、３１４…通信インタフェース（Ｉ／Ｆ）部、３１５…制御部、３１５１，３１５１ａ…計数制御部、３６１…表示／操作部、３６２…計数レシート発行部、３６３…カード処理部、３２１…玉投入部、３２２…玉取込口、３３…ＩＣタグ、３３１…タグベース部、３３２…リストバンド、３３３…ＩＣチップ、３５，３５Ａ，３５Ｂ，３５Ｃ…レシート発行機、４５，４５Ａ，４５Ｂ，４５Ｃ…玉貸処理機、５１…玉回収機構、５２…揚送・研磨機構、５３…補給機構、５１１ａ…玉回収通路、５１１ｂ…計数機側玉回収通路、５１２…貯留タンク、５１３…貯留量検知センサ、５１４…詰まり検知センサ、５２１…揚送部、５２２…研磨部、５３１…補給通路、７０…メダル計数機、７０１…表示／操作部、７０２…メダル検知部、７０３…計数円板、７０４…駆動モータ、７０５…計数センサ、７０６…メダル返却部、７０７…異常検出部、７０８…ＩＣタグ読取／書込部、７０９…計時部、７１０…メモリ部、７１１…ブザー、７１２…電源部、７１３…通信インタフェース（Ｉ／Ｆ）部、７１５…制御部、７１５１…計数制御部、８０…ローカル・エリア・ネットワーク（ＬＡＮ）
【図１】
2006020933.tif 000003
【図２】
2006020933.tif 000004
【図３】
2006020933.tif 000005
【図４】
2006020933.tif 000006
【図５】
2006020933.tif 000007
【図６】
2006020933.tif 000008
【図７】
2006020933.tif 000009
【図８】
2006020933.tif 000010
【図９】
2006020933.tif 000011
【図１０】
2006020933.tif 000012
【図１１】
2006020933.tif 000013
【図１２】
2006020933.tif 000014
【図１３】
2006020933.tif 000015
【図１４】
2006020933.tif 000016
【図１５】
2006020933.tif 000017
【図１６】
2006020933.tif 000018
【図１７】
2006020933.tif 000019